(57)【特許請求の範囲】
【請求項１】
無線通信システムにおいて、端末（ＵＥ）によって基地局（ＢＳ）から下りリンクデータチャネルを受信する方法であって、前記方法は、
上位層を介してＵＥ特定参照信号に関連する第１のパラメータセットと前記ＵＥ特定参照信号に関連する第２のパラメータセットとのうちの一方のパラメータセットを示す情報を受信することと、
前記上位層を介して示された前記一方のパラメータセットの中の１つのパラメータセットを示す情報を搬送する下りリンク制御チャネルを受信することと、
下りリンク制御チャネルによって示された前記１つのパラメータセットに基づいて識別された前記ＵＥ特定参照信号を用いて前記下りリンクデータチャネルを受信することと
を含み、
前記第１のパラメータセットは、単一アンテナポート送信のために前記ＵＥ特定参照信号の第１のアンテナポートグループを支援し、
前記第２のパラメータセットは、前記単一アンテナポート送信のために前記第１のアンテナポートグループおよび前記ＵＥ特定参照信号の第２のアンテナポートグループの両方を支援する、方法。
【請求項２】
前記第１のアンテナポートグループおよび前記第２のアンテナポートグループによって画定されるＵＥ特定参照信号は、直交カバーコード（ＯＣＣ）を適用することにより、同一のリソースに対してマッピングされる、請求項１に記載の方法。
【請求項３】
前記第１のパラメータセットの各々は、前記単一アンテナポート送信のために、アンテナポートインデックスと、スクランブリングアイデンティティとを含み、
前記第２のパラメータセットの各々は、前記単一アンテナポート送信のために、前記アンテナポートインデックスと、前記スクランブリングアイデンティティと、直交カバーコード（ＯＣＣ）の長さとを含む、請求項１に記載の方法。
【請求項４】
前記ＯＣＣの長さは、２または４である、請求項３に記載の方法。
【請求項５】
前記下りリンクデータチャネルおよび前記ＵＥ特定参照信号は、同一のプリコーダによってプリコーディングされる、請求項１に記載の方法。
【請求項６】
前記ＵＥ特定参照信号の前記第１のアンテナポートグループは、アンテナポート７および８を含み、
前記ＵＥ特定参照信号の前記第２のアンテナポートグループは、アンテナポート１１および１３を含む、請求項１に記載の方法。
【発明の詳細な説明】
【技術分野】
【０００１】
本発明は、無線通信システムに関し、特に、ＭＵ−ＭＩＭＯを支援する無線通信システムにおいてチャネルを推定する方法及びこれを支援する装置に関する。
【背景技術】
【０００２】
多重入出力（ＭＩＭＯ：Ｍｕｌｔｉ−Ｉｎｐｕｔ  Ｍｕｌｔｉ−Ｏｕｔｐｕｔ）技術は、単一の送信アンテナと単一の受信アンテナを使用したことから脱皮し、複数の送信アンテナと複数の受信アンテナを使用してデータの送受信効率を向上させる技術である。受信側は、単一のアンテナを使用する場合には単一アンテナ経路（ｐａｔｈ）を通してデータを受信するが、複数のアンテナを使用する場合には複数の経路を通してデータを受信する。したがって、データの送信速度と送信量を向上させることができ、カバレッジ（ｃｏｖｅｒａｇｅ）を増大させることができる。
【０００３】
単一−セル（Ｓｉｎｇｌｅ−ｃｅｌｌ）ＭＩＭＯ動作は、一つのセルで一つの端末が下りリンク信号を受信する単一ユーザー−ＭＩＭＯ（Ｓｉｎｇｌｅ  Ｕｓｅｒ−ＭＩＭＯ；ＳＵ−ＭＩＭＯ）方式と、二つ以上の端末が一つのセルで下りリンク信号を受信する多重ユーザー−ＭＩＭＯ（Ｍｕｌｔｉ  Ｕｓｅｒ−ＭＩＭＯ；ＭＵ−ＭＩＭＯ）方式とに区別される。  
【０００４】
チャネル推定（ｃｈａｎｎｅｌ  ｅｓｔｉｍａｔｉｏｎ）は、フェーディング（ｆａｄｉｎｇ）によって生じる信号の歪みを補償することによって、受信された信号を復元する過程のことをいう。ここでいうフェーディングとは、無線通信システム環境で多重経路（ｍｕｌｔｉ  ｐａｔｈ）−時間遅延（ｔｉｍｅ  ｄｅｌａｙ）によって信号の強度が急に変動する現象を指す。チャネル推定のためには、送信機も受信機も知っている参照信号（ｒｅｆｅｒｅｎｃｅ  ｓｉｇｎａｌ）が必要である。また、参照信号は、ＲＳ（Ｒｅｆｅｒｅｎｃｅ  Ｓｉｇｎａｌ）と略称することもでき、適用される標準によってパイロット（Ｐｉｌｏｔ）と呼ぶこともできる。
【０００５】
下りリンク参照信号（ｄｏｗｎｌｉｎｋ  ｒｅｆｅｒｅｎｃｅ  ｓｉｇｎａｌ）は、ＰＤＳＣＨ（Ｐｈｙｓｉｃａｌ  Ｄｏｗｎｌｉｎｋ  Ｓｈａｒｅｄ  ＣＨａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などのコヒーレント（ｃｏｈｅｒｅｎｔ）復調のためのパイロット信号である。下りリンク参照信号は、セル内の全端末が共有する共用参照信号（Ｃｏｍｍｏｎ  Ｒｅｆｅｒｅｎｃｅ  Ｓｉｇｎａｌ；ＣＲＳ）と、特定端末のみのための専用参照信号（Ｄｅｄｉｃａｔｅｄ  Ｒｅｆｅｒｅｎｃｅ  Ｓｉｇｎａｌ；ＤＲＳ）がある。４送信アンテナを支援する既存の通信システム（例えば、ＬＴＥ  ｒｅｌｅａｓｅ（リリース）８又は９標準に基づくシステム）に比べて拡張されたアンテナ構成を有するシステム（例えば、８送信アンテナを支援するＬＴＥ−Ａ標準に基づくシステム）では、効率的な参照信号の運用と発展した送信方式を支援するためにＤＲＳベースのデータ復調を考慮している。すなわち、拡張されたアンテナを用いたデータ送信を支援するために、２以上のレイヤに対するＤＲＳを定義することができる。ＤＲＳはデータと同一のプリコーダによってプリコーディングされるため、別のプリコーディング情報無しで、受信側でデータを復調するためのチャネル情報を容易に推定することができる。
【０００６】
一方、下りリンク受信側では、ＤＲＳを用いて、拡張されたアンテナ構成に対してプリコーディングされたチャネル情報を取得することができるが、プリコーディングされていないチャネル情報を取得するためにはＤＲＳ以外の別の参照信号が要求される。そのため、ＬＴＥ−Ａ標準に基づくシステムでは、受信側でチャネル状態情報（Ｃｈａｎｎｅｌ  Ｓｔａｔｅ  Ｉｎｆｏｒｍａｔｉｏｎ；ＣＳＩ）を取得するための参照信号、すなわち、ＣＳＩ−ＲＳを定義することができる。
【発明の概要】
【発明が解決しようとする課題】
【０００７】
上述したような議論に基づき、以下では、無線通信システムにおいてチャネルを推定する方法及び装置を提案する。
【０００８】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
上記問題点を解決するために、本発明の一実施例に係る無線接続システムにおいて端末がチャネルを推定する方法は、データ復調のための参照信号（ＤＭＲＳ）のポート及びレイヤに関するマッピング情報を受信するステップと、上記ＤＭＲＳの上記ポートが変更されたか否かを示す変更情報を受信するステップと、上記指示子に基づいて上記ポート情報の変更を判断し、上記ＤＭＲＳのチャネルを推定するステップとを有することができる。
【００１０】
上記変更情報が上記ポートの変更を示す場合、同一の周波数リソースに対するＣＤＭ（Ｃｏｄｅ  ｄｉｖｉｓｉｏｎ  ｍｕｌｔｉｐｌｅｘｉｎｇ）グループ内でポート交換（ｓｗａｐｐｉｎｇ）がなされたと判断することができる。
【００１１】
上記変更情報が上記ポートの変更を示す場合、別個の周波数リソースに対するＣＤＭ（Ｃｏｄｅ  ｄｉｖｉｓｉｏｎ  ｍｕｌｔｉｐｌｅｘｉｎｇ）グループの間にポート交換（ｓｗａｐｐｉｎｇ）がなされたと判断することができる。
【００１２】
上記変更情報は、ＰＱＩ（ＰＤＳＣＨ  ＲＥ  ｍａｐｐｉｎｇ  ａｎｄ  ｑｕａｓｉ  ｃｏ−ｌｏｃａｔｉｏｎ  ｉｎｄｉｃａｔｏｒ）に基づいて決定されてもよい。
【００１３】
上記変更情報は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のセット情報によって決定されてもよい。
【００１４】
上記変更情報は、端末に割り当てられるＣ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）を用いて決定されてもよい。
【００１５】
上記変更情報は、上記Ｃ−ＲＮＴＩをポート交換の組み合わせの個数で割った余りの値を用いて決定されてもよい。
【００１６】
本発明の他の実施例に係る、無線通信システムにおいてチャネルを推定する端末は、ＲＦ（Ｒａｄｉｏ  Ｆｒｅｑｕｅｎｃｙ）ユニットと、プロセッサとを備え、上記プロセッサは、データ復調のための参照信号（ＤＭＲＳ）のポート及びレイヤに関するマッピング情報を受信し、上記ＤＭＲＳの上記ポートが変更されたか否かを示す変更情報を受信し、
上記指示子に基づいて上記ポート情報の変更を判断して信号を受信することができる。
【００１７】
上記変更情報が上記ポートの変更を示す場合、同一の周波数リソースに対するＣＤＭ（Ｃｏｄｅ  ｄｉｖｉｓｉｏｎ  ｍｕｌｔｉｐｌｅｘｉｎｇ）グループ内でポート交換（ｓｗａｐｐｉｎｇ）がなされたと判断することができる。
【００１８】
上記変更情報が上記ポートの変更を示す場合、別個の周波数リソースに対するＣＤＭ（Ｃｏｄｅ  ｄｉｖｉｓｉｏｎ  ｍｕｌｔｉｐｌｅｘｉｎｇ）グループの間にポート交換（ｓｗａｐｐｉｎｇ）がなされたと判断することができる。
【００１９】
上記変更情報は、ＰＱＩ（ＰＤＳＣＨ  ＲＥ  ｍａｐｐｉｎｇ  ａｎｄ  ｑｕａｓｉ  ｃｏ−ｌｏｃａｔｉｏｎ  ｉｎｄｉｃａｔｏｒ）に基づいて決定されてもよい。
【００２０】
上記変更情報は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のセット情報によって決定されてもよい。
【００２１】
上記変更情報は、端末に割り当てられるＣ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）を用いて決定されてもよい。
【００２２】
上記変更情報は、上記Ｃ−ＲＮＴＩをポート交換の組み合わせの個数で割った余りの値を用いて決定されてもよい。
例えば、本願発明は以下の項目を提供する。
（項目１）
無線接続システムにおいて端末がチャネルを推定する方法であって、
データ復調のための参照信号（ＤＭＲＳ）のポート及びレイヤに関するマッピング情報を受信するステップと、
前記ＤＭＲＳの前記ポートが変更されたか否かを示す変更情報を受信するステップと、
前記指示子に基づいて前記ポート情報の変更を判断し、前記ＤＭＲＳのチャネルを推定するステップと、
を有する、チャネル推定方法。
（項目２）
前記変更情報が前記ポートの変更を示す場合、
同一の周波数リソースに対するＣＤＭ（Ｃｏｄｅ  ｄｉｖｉｓｉｏｎ  ｍｕｌｔｉｐｌｅｘｉｎｇ）グループ内でポート交換（ｓｗａｐｐｉｎｇ）がなされたと判断する、項目１に記載のチャネル推定方法。
（項目３）
前記変更情報が前記ポートの変更を示す場合、
別個の周波数リソースに対するＣＤＭ（Ｃｏｄｅ  ｄｉｖｉｓｉｏｎ  ｍｕｌｔｉｐｌｅｘｉｎｇ）グループの間にポート交換（ｓｗａｐｐｉｎｇ）がなされたと判断する、項目１に記載のチャネル推定方法。
（項目４）
前記変更情報は、ＰＱＩ（ＰＤＳＣＨ  ＲＥ  ｍａｐｐｉｎｇ  ａｎｄ  ｑｕａｓｉ  ｃｏ−ｌｏｃａｔｉｏｎ  ｉｎｄｉｃａｔｏｒ）に基づいて決定される、項目１に記載のチャネル推定方法。
（項目５）
前記変更情報は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のセット情報によって決定される、項目１に記載のチャネル推定方法。
（項目６）
前記変更情報は、端末に割り当てられるＣ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）を用いて決定される、項目１に記載のチャネル推定方法。
（項目７）
前記変更情報は、前記Ｃ−ＲＮＴＩをポート交換の組み合わせの個数で割った余りの値を用いて決定される、項目６に記載のチャネル推定方法。
（項目８）
無線通信システムにおいてチャネルを推定する端末であって、
ＲＦ（Ｒａｄｉｏ  Ｆｒｅｑｕｅｎｃｙ）ユニットと、
プロセッサと、
を備え、
前記プロセッサは、
データ復調のための参照信号（ＤＭＲＳ）のポート及びレイヤに関するマッピング情報を受信し、
前記ＤＭＲＳの前記ポートが変更されたか否かを示す変更情報を受信し、
前記指示子に基づいて前記ポート情報の変更を判断して信号を受信する、端末。
（項目９）
前記変更情報が前記ポートの変更を示す場合、
同一の周波数リソースに対するＣＤＭ（Ｃｏｄｅ  ｄｉｖｉｓｉｏｎ  ｍｕｌｔｉｐｌｅｘｉｎｇ）グループ内でポート交換（ｓｗａｐｐｉｎｇ）がなされたと判断する、項目７に記載の端末。
（項目１０）
前記変更情報が前記ポートの変更を示す場合、
別個の周波数リソースに対するＣＤＭ（Ｃｏｄｅ  ｄｉｖｉｓｉｏｎ  ｍｕｌｔｉｐｌｅｘｉｎｇ）グループの間にポート交換（ｓｗａｐｐｉｎｇ）がなされたと判断する、項目７に記載の端末。
（項目１１）
前記変更情報は、ＰＱＩ（ＰＤＳＣＨ  ＲＥ  ｍａｐｐｉｎｇ  ａｎｄ  ｑｕａｓｉ  ｃｏ−ｌｏｃａｔｉｏｎ  ｉｎｄｉｃａｔｏｒ）に基づいて決定される、項目７に記載の端末。
（項目１２）
前記変更情報は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のセット情報によって決定される、項目７に記載の端末。
（項目１３）
前記変更情報は、端末に割り当てられるＣ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）を用いて決定される、項目７に記載の端末。
（項目１４）
前記変更情報は、前記Ｃ−ＲＮＴＩをポート交換の組み合わせの個数で割った余りの値を用いて決定される、項目１３に記載の端末。
【発明の効果】
【００２３】
本発明の実施例によれば、無線通信システムにおいてチャネルを推定する方法及びこれを支援する装置を提供することができる。
【００２４】
本発明から得られる効果は、以上で言及した効果に制限されず、言及していない別の効果は、以下の記載から、本発明の属する技術の分野における通常の知識を有する者には明確に理解されるであろう。
【図面の簡単な説明】
【００２５】
本発明に関する理解を助けるために詳細な説明の一部として含まれる添付の図面は、本発明に関する実施例を提供し、詳細な説明と共に本発明の技術的思想を説明する。
【図１】図１は、下りリンク無線フレームの構造を示す図である。
【図２】図２は、一つの下りリンクスロットのリソースグリッド（ｒｅｓｏｕｒｃｅ  ｇｒｉｄ）の一例を示す図である。
【図３】図３は、下りリンクサブフレームの構造を示す図である。
【図４】図４は、上りリンクサブフレームの構造を示す図である。
【図５】図５は、多重アンテナを有する無線通信システムの構成図である。
【図６】図６は、既存のＣＲＳ及びＤＲＳのパターンを示す図である。
【図７】図７は、ＤＭ  ＲＳパターンの一例を示す図である。
【図８】図８は、ＣＳＩ−ＲＳパターンの例示を示す図である。
【図９】図９は、ＣＳＩ−ＲＳが周期的に送信される方式の一例を説明するための図である。
【図１０】図１０は、ＣＳＩ−ＲＳが非周期的に送信される方式の一例を説明するための図である。
【図１１】図１１は、２個のＣＳＩ−ＲＳ設定（ｃｏｎｆｉｇｕｒａｔｉｏｎ）が用いられる例を説明するための図である。
【図１２】図１２は、本発明の第１−１の実施例に係る一例を示す図である。
【図１３】図１３は、本発明の第１−２の実施例に係る一例を示す図である。
【図１４】図１４は本発明の第２の実施例に係る一例を示す図である。
【図１５】図１５は、本発明の実施例の一例を示すフローチャートである。
【図１６】図１６は、本発明の一実施例に適用可能な基地局及び端末の構成を示す図である。
【発明を実施するための形態】
【００２６】
以下の実施例は、本発明の構成要素と特徴を所定の形態で結合したものである。各構成要素又は特徴は、特別の言及がない限り、選択的なものと考慮することができる。各構成要素又は特徴は、他の構成要素や特徴と結合していない形態で実施してもよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取って代わってもよい。
【００２７】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われてもよい。
【００２８】
すなわち、基地局を含めた複数のネットワークノード（ｎｅｔｗｏｒｋ  ｎｏｄｅｓ）で構成されるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、ＲＮ（Ｒｅｌａｙ  Ｎｏｄｅ）、ＲＳ（Ｒｅｌａｙ  Ｓｔａｔｉｏｎ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００２９】
以下の説明で使われる特定用語は、本発明の理解を助けるために提供されるものであり、このような特定用語の使用は、本発明の技術的思想から逸脱しない範囲で他の形態に変更してもよい。
【００３０】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素については同一の図面符号を付して説明する。
【００３１】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００３２】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ  ＬＴＥ及び３ＧＰＰ  ＬＴＥ−Ａシステムを中心に説明するが、本発明の技術的思想がこれに制限されることはない。
【００３３】
図１を参照して下りリンク無線フレームの構造について説明する。
【００３４】
セルラーＯＦＤＭ無線パケット通信システムにおいて、上り／下りリンクデータパケット送信はサブフレーム（ｓｕｂｆｒａｍｅ）単位に行われ、１サブフレームは、複数のＯＦＤＭシンボルを含む一定の時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００３５】
図１は、タイプ１無線フレーム構造を示す図である。下りリンク無線フレームは１０個のサブフレームで構成され、１個のサブフレームは時間領域（ｔｉｍｅ  ｄｏｍａｉｎ）において２個のスロットで構成される。１個のサブフレームを送信するために掛かる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってもよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは、下りリンクでＯＦＤＭＡを用いるので、ＯＦＤＭシンボルが１シンボル区間を表す。ＯＦＤＭシンボルは、ＳＣ−ＦＤＭＡシンボル又はシンボル区間と呼ぶこともできる。リソースブロック（ＲＢ）は、リソース割当単位であり、１スロットにおいて複数個の連続した副搬送波（ｓｕｂｃａｒｒｉｅｒ）を含むことができる。
【００３６】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには拡張ＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であってもよい。ＯＦＤＭシンボルが拡張ＣＰによって構成された場合、１  ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合には、シンボル間干渉をより減らすために拡張ＣＰを用いることができる。
【００３７】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３８】
無線フレームの構造は例示に過ぎず、無線フレームに含まれるサブフレームの数、サブフレームに含まれるスロットの数、又はスロットに含まれるシンボルの数は様々に変更されてもよい。
【００３９】
図２は、１下りリンクスロットにおけるリソースグリッド（ｒｅｓｏｕｒｃｅ  ｇｒｉｄ）を例示する図である。これは、ＯＦＤＭシンボルが一般ＣＰで構成された場合である。図２を参照すると、下りリンクスロットは、時間領域で複数のＯＦＤＭシンボルを含み、周波数領域で複数のリソースブロックを含む。ここで、１下りリンクスロットは７個のＯＦＤＭシンボルを含み、１リソースブロックは１２個の副搬送波を含むとしたが、これに制限されない。リソースグリッド上の各要素（ｅｌｅｍｅｎｔ）をリソース要素（ＲＥ）と呼ぶ。例えば、リソース要素ａ（ｋ，ｌ）は、ｋ番目の副搬送波とｌ番目のＯＦＤＭシンボルに位置しているリソース要素となる。一般ＣＰの場合、１つのリソースブロックは１２×７リソース要素を含む（拡張ＣＰの場合は、１２×６リソース要素を含む）。各副搬送波の間隔は１５ｋＨｚであるから、１リソースブロックは周波数領域で約１８０ｋＨｚを含む。ＮＤＬは、下りリンクスロットに含まれるリソースブロックの数である。ＮＤＬの値は、基地局のスケジューリングによって設定される下りリンク送信帯域幅（ｂａｎｄｗｉｄｔｈ）によって決定できる。
【００４０】
図３は、下りリンクサブフレームの構造を示す図である。１サブフレーム内で第一のスロットの先頭における最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。送信の基本単位は、１サブフレームとなる。すなわち、２個のスロットにわたってＰＤＣＣＨ及びＰＤＳＣＨが割り当てられる。３ＧＰＰ  ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ  ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当及び送信フォーマット、上り共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信され、端末は複数のＰＤＣＣＨをモニタすることもできる。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ���という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４１】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なる副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００４２】
（多重アンテナ（ＭＩＭＯ）システムのモデリング）
ＭＩＭＯ（（Ｍｕｌｔｉｐｌｅ  Ｉｎｐｕｔ  Ｍｕｌｔｉｐｌｅ  Ｏｕｔｐｕｔ）システムは、多重送信アンテナと多重受信アンテナを用いてデータの送受信効率を向上させるシステムである。ＭＩＭＯ技術は、全体メッセージを受信する際に、単一アンテナ経路に依存せず、複数個のアンテナから受信される複数個のデータ断片を組み合わせて全体データを受信することができる。
【００４３】
ＭＩＭＯ技術には、空間ダイバーシチ（Ｓｐａｔｉａｌ  ｄｉｖｅｒｓｉｔｙ）技法と空間多重化（Ｓｐａｔｉａｌ  ｍｕｌｔｉｐｌｅｘｉｎｇ）技法などがある。空間ダイバーシチ技法は、ダイバーシチ利得（ｇａｉｎ）によって送信信頼度（ｒｅｌｉａｂｉｌｉｔｙ）を上げたりセル半径を広めたりすることができ、高速で移動する端末に対するデータ送信に適している。空間多重化技法は、互いに異なるデータを同時に送信することによって、システムの帯域幅を増加させることなくデータ送信率を増大させることができる。
【００４４】
図５は、多重アンテナを有する無線通信システムの構成図である。図５（ａ）に示すように、送信アンテナの数をＮＴ個、受信アンテナの数をＮＲ個と増やすと、送信機又は受信機のいずれか一方のみで複数のアンテナを用いる場合とは違い、アンテナ数に比例して理論的なチャネル送信容量が増加する。したがって、伝送レートを向上させ、周波数効率を画期的に向上させることができる。チャネル送信容量が増加することから、伝送レートを、理論的に、単一アンテナ利用時の最大伝送レート（Ｒｏ）にレート増加率（Ｒｉ）を乗じた分だけ増加させることができる。
【００４５】
例えば、４個の送信アンテナと４個の受信アンテナを用いるＭＩＭＯ通信システムでは、単一アンテナシステムに比べて理論上、４倍の伝送レートを取得することができる。多重アンテナシステムの理論的容量増加が９０年代半ばに証明されて以来、これを実質的なデータ伝送率の向上へと導くための種々の技術が現在まで活発に研究されている。それらのいくつかの技術は既に３世代移動通信と次世代無線ＬＡＮなどの様々な無線通信の標準に反映されている。
【００４６】
現在までの多重アンテナ関連研究動向をみると、様々なチャネル環境及び多重接続環境における多重アンテナ通信容量計算などと関連した情報理論側面の研究、多重アンテナシステムの無線チャネル測定及び模型導出の研究、及び伝送信頼度の向上及び伝送率の向上のための時空間信号処理技術の研究などを含め、様々な観点で活発に研究が行われている。
【００４７】
多重アンテナシステムにおける通信方法を数学的モデリングを用いてより具体的に説明する。当該システムには、ＮＴ個の送信アンテナとＮＲ個の受信アンテナが存在するとする。
【００４８】
送信信号について説明すると、ＮＴ個の送信アンテナがある場合に、送信可能な最大情報はＮＴ個である。それぞれの送信情報は、送信電力が異なってもよい。
【００４９】
一方、送信信号ｘは、２つの場合（例えば、空間ダイバーシチ及び空間多重化）によって異なる方法で考慮されてもよい。空間多重化の場合、異なった信号が多重化され、多重化された信号が受信側に送信されるため、情報ベクトルの要素（ｅｌｅｍｅｎｔ）がそれぞれ異なる値を有する。一方、空間ダイバーシチの場合は、同一の信号が複数個のチャネル経路を通して反復的に送信されるため、情報ベクトルの要素が同一の値を有する。勿論、空間多重化及び空間ダイバーシチ技法の組合せも考慮することができる。すなわち、同一の信号が、例えば、３個の送信アンテナを通して空間ダイバーシチ技法によって送信され、残りの信号は空間多重化されて受信側に送信されてもよい。
【００５０】
多重アンテナ無線通信システムでチャネルをモデリングする場合、チャネルは、送受信アンテナインデックスによって区別できる。送信アンテナｊから受信アンテナｉを経るチャネルを
【００５１】
【化１】
0006469208.tif 000002
【００５２】
と表示するものとする。
【００５３】
【化２】
0006469208.tif 000003
【００５４】
において、受信アンテナインデックスが前であり、送信アンテナのインデックスが後であることに留意されたい。
【００５５】
図５（ｂ）に、ＮＴ個の送信アンテナから受信アンテナｉへのチャネルを示している。これらのチャネルをまとめてベクトル及び行列の形態で表示することができる。
【００５６】
実際チャネルにはチャネル行列を経た後に白色雑音（ＡＷＧＮ；Ａｄｄｉｔｉｖｅ  Ｗｈｉｔｅ  Ｇａｕｓｓｉａｎ  Ｎｏｉｓｅ）が加えられる。
【００５７】
行列のランク（ｒａｎｋ）は、互いに独立している（ｉｎｄｅｐｅｎｄｅｎｔ）行又は列の個数のうちの最小の個数と定義される。そのため、行列のランクは、行又は列の個数よりも大きいことがない。
【００５８】
ＭＩＭＯ送信において、‘ランク（Ｒａｎｋ）’は、独立して信号を送信できる経路の数を表し、‘レイヤ（ｌａｙｅｒ）の個数’は、各経路を通して送信される信号ストリームの個数を表す。送信端は、信号の送信に用いられるランク数に対応する個数のレイヤを送信するのが一般的であるため、特別な言及がない限り、ランクはレイヤ個数と同じ意味を有する。
【００５９】
（参照信号（Ｒｅｆｅｒｅｎｃｅ  Ｓｉｇｎａｌ；ＲＳ））
無線通信システムでパケットを送信する際、送信されるパケットは無線チャネルを介して送信されるため、送信過程で信号の歪みが発生しうる。歪まれた信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪み程度を用いてチャネル情報を得る方法を主に用いる。該信号をパイロット信号（Ｐｉｌｏｔ  Ｓｉｇｎａｌ）又は参照信号（Ｒｅｆｅｒｅｎｃｅ  Ｓｉｇｎａｌ）という。
【００６０】
多重アンテナを用いてデータを送受信する場合に、正しい信号を受信するためには、各送信アンテナと受信アンテナ間のチャネル状況を知る必要がある。そのために、各送信アンテナ別に異なる参照信号が存在しなければならない。
【００６１】
移動通信システムにおいて参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域に送信されなければならず、特定サブフレームで下りデータを受信しない端末であっても、当該ＲＳを受信及び測定可能でなければならない。このようなＲＳは、ハンドオーバーなどのための測定などにも用いられる。後者は、基地局が下りデータを送る時、当該リソースで併せて送るＲＳであり、端末は当該ＲＳを受信することによってチャネル推定ができ、データを復調することができる。このようなＲＳは、データの送信される領域で送信されなければならない。
【００６２】
既存の３ＧＰＰ  ＬＴＥ（例えば、３ＧＰＰ  ＬＴＥリリース−８）システムでは、ユニキャスト（ｕｎｉｃａｓｔ）サービスのために２種類の下りリンクＲＳを定義する。その一つは共用参照信号（Ｃｏｍｍｏｎ  ＲＳ；ＣＲＳ）であり、もう一つは、専用参照信号（Ｄｅｄｉｃａｔｅｄ  ＲＳ；ＤＲＳ）である。ＣＲＳは、チャネル状態に関する情報取得及びハンドオーバーなどのための測定などに用いられ、セル−特定（ｃｅｌｌ−ｓｐｅｃｉｆｉｃ）ＲＳと呼ぶことができる。ＤＲＳは、データ復調のために用いられ、端末−特定（ＵＥ−ｓｐｅｃｉｆｉｃ）ＲＳと呼ぶことができる。既存の３ＧＰＰ  ＬＴＥシステムで、ＤＲＳはデータ復調のみのために用いることができ、ＣＲＳは、チャネル情報取得のためにもデータ復調のためにも用いることができる。
【００６３】
ＣＲＳは、セル−特定に送信されるＲＳであり、広帯域（ｗｉｄｅｂａｎｄ）に対して毎サブフレームごとに送信される。ＣＲＳは、基地局の送信アンテナ個数によって最大４個のアンテナポートに対して送信可能である。例えば、基地局の送信アンテナが２個である場合、０番と１番のアンテナポートに対するＣＲＳを送信し、４個の場合は、０〜３番のアンテナポートに対するＣＲＳをそれぞれ送信する。
【００６４】
図６は、基地局が４個の送信アンテナを支援するシステムで一つのリソースブロック（一般ＣＰの場合、時間上で１４個のＯＦＤＭシンボル×周波数上で１２個の副搬送波）上でＣＲＳ及びＤＲＳのパターンを示す図である。図６で、‘Ｒ０’、‘Ｒ１’、‘Ｒ２’及び‘Ｒ３’と表示されたリソース要素（ＲＥ）は、それぞれ、アンテナポートインデックス０、１、２及び３に対するＣＲＳの位置を表す。一方、図６で‘Ｄ’と表示されたリソース要素は、ＬＴＥシステムで定義されるＤＲＳの位置を表す。
【００６５】
ＬＴＥシステムの進展した形態のＬＴＥ−Ａシステムでは、下りリンクで最大８個の送信アンテナを支援することができる。そのため、最大８個の送信アンテナに対するＲＳも支援されなければならない。ＬＴＥシステムにおける下りリンクＲＳは最大４個のアンテナポートのみに対して定義されているため、ＬＴＥ−Ａシステムにおいて基地局が４個以上８個以下の下りリンク送信アンテナを有する場合、それらのアンテナポートに対するＲＳがさらに定義されなければならない。最大８個の送信アンテナポートに対するＲＳとして、チャネル測定のためのＲＳ、データ復調のためのＲＳの両方とも考慮されなければならない。
【００６６】
ＬＴＥ−Ａシステムを設計する上で重要な考慮事項の一つは逆方向互換性（ｂａｃｋｗａｒｄ  ｃｏｍｐａｔｉｂｉｌｉｔｙ）である。逆方向互換性とは、既存のＬＴＥ端末がＬＴＥ−Ａシステムでも正しく動作するように支援することを意味する。ＲＳ送信観点からは、ＬＴＥ標準で定義されているＣＲＳが全帯域で毎サブフレームごとに送信される時間−周波数領域に最大８個の送信アンテナポートに対するＲＳを追加すると、ＲＳオーバーヘッドが過度に大きくなる。そのため、最大８個のアンテナポートに対するＲＳを新しく設計するに当たり、ＲＳオーバーヘッドを減らすことを考慮しなければならない。
【００６７】
ＬＴＥ−Ａシステムで新しく導入されるＲＳは、大きく、２種類に分類できる。その一つは、送信ランク、変調及びコーディング技法（Ｍｏｄｕｌａｔｉｏｎ  ａｎｄ  Ｃｏｄｉｎｇ  Ｓｃｈｅｍｅ；ＭＣＳ）、プリコーディング行列インデックス（Ｐｒｅｃｏｄｉｎｇ  Ｍａｔｒｉｘ  Ｉｎｄｅｘ；ＰＭＩ）などの選択のためのチャネル測定目的のＲＳであるチャネル状態情報−参照信号（Ｃｈａｎｎｅｌ  Ｓｔａｔｅ  Ｉｎｆｏｒｍａｔｉｏｎ  ＲＳ；ＣＳＩ−ＲＳ）であり、もう一つは、最大８個の送信アンテナを通して送信されるデータを復調するための目的のＲＳである復調−参照信号（ＤｅＭｏｄｕｌａｔｉｏｎ  ＲＳ；ＤＭ  ＲＳ）である。
【００６８】
チャネル測定目的のＣＳＩ−ＲＳは、既存のＬＴＥシステムにおけるＣＲＳがチャネル測定、ハンドオーバーなどの測定などの目的と同時にデータ復調のために用いられるのとは違い、チャネル測定中心の目的のために設計されることに特徴がある。勿論、ＣＳＩ−ＲＳは、ハンドオーバーなどの測定などの目的に用いられてもよい。ＣＳＩ−ＲＳがチャネル状態に関する情報を得る目的のみに送信されるため、既存のＬＴＥシステムにおけるＣＲＳとは違い、毎サブフレームごとに送信されなくてもよい。したがって、ＣＳＩ−ＲＳのオーバーヘッドを減らすために、ＣＳＩ−ＲＳは時間軸上で間欠的に（例えば、周期的に）送信されるように設計されてもよい。
【００６９】
仮に、ある下りリンクサブフレーム上でデータが送信される場合には、データ送信がスケジューリングされた端末に専用で（ｄｅｄｉｃａｔｅｄ）ＤＭ  ＲＳが送信される。特定端末専用のＤＭ  ＲＳは、当該端末がスケジューリングされたリソース領域、すなわち、当該端末に対するデータが送信される時間−周波数領域でのみ送信されるように設計することができる。
【００７０】
図７は、ＬＴＥ−Ａシステムで定義されるＤＭ  ＲＳパターンの一例を示す図である。図７では、下りリンクデータが送信される一つのリソースブロック（一般ＣＰの場合、時間上で１４個のＯＦＤＭシンボル×周波数上で１２個の副搬送波）上でＤＭ  ＲＳが送信されるリソース要素の位置を示している。ＤＭ  ＲＳは、ＬＴＥ−Ａシステムでさらに定義される４個のアンテナポート（アンテナポートインデックス７、８、９及び１０）に対して送信することができる。互いに異なるアンテナポートに対するＤＭ  ＲＳは、異なる周波数リソース（副搬送波）及び／又は異る時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＤＭ  ＲＳは、直交コード（ｏｒｔｈｏｇｏｎａｌ  ｃｏｄｅ）によって区別することができる（すなわち、ＣＤＭ方式で多重化できる）。図７の例示で、ＤＭ  ＲＳ  ＣＤＭグループ１と表示されたリソース要素（ＲＥ）にはアンテナポート７及び８に対するＤＭ  ＲＳを位置させることができ、これらは、直交コードによって多重化できる。同様に、図７の例示で、ＤＭ  ＲＳグループ２と表示されたリソース要素にはアンテナポート９及び１０に対するＤＭ  ＲＳを位置させることができ、これらは、直交コードによって多重化できる。
【００７１】
図８は、ＬＴＥ−Ａシステムで定義されるＣＳＩ−ＲＳパターンの例示を示す図である。図８では、下りリンクデータが送信される一つのリソースブロック（一般ＣＰの場合、時間上で１４個のＯＦＤＭシンボル×周波数上で１２個の副搬送波）上でＣＳＩ−ＲＳが送信されるリソース要素の位置を示している。ある下りリンクサブフレームで、図８（ａ）乃至８（ｅ）のいずれか一つのＣＳＩ−ＲＳパターンを用いることができる。ＣＳＩ−ＲＳは、ＬＴＥ−Ａシステムでさらに定義される８個のアンテナポート（アンテナポートインデックス１５、１６、１７、１８、１９、２０、２１及び２２）に対して送信することができる。互いに異なるアンテナポートに対するＣＳＩ−ＲＳは、異なった周波数リソース（副搬送波）及び／又は異なった時間リソース（ＯＦＤＭシンボル）に位置することで区別することができる（すなわち、ＦＤＭ及び／又はＴＤＭ方式で多重化できる）。また、同一の時間−周波数リソース上に位置する互いに異なるアンテナポートに対するＣＳＩ−ＲＳは、直交コード（ｏｒｔｈｏｇｏｎａｌ  ｃｏｄｅ）によって区別することができる（すなわち、ＣＤＭ方式で多重化できる）。図８（ａ）の例示で、ＣＳＩ−ＲＳ  ＣＤＭグループ１と表示されたリソース要素（ＲＥ）にはアンテナポート１５及び１６に対するＣＳＩ−ＲＳを位置させることができ、これらは、直交コードによって多重化できる。図８（ａ）の例示で、ＣＳＩ−ＲＳ  ＣＤＭグループ２と表示されたリソース要素にはアンテナポート１７及び１８に対するＣＳＩ−ＲＳを位置させることができ、これらは、直交コードによって多重化できる。図８（ａ）の例示でＣＳＩ−ＲＳ  ＣＤＭグループ３と表示されたリソース要素にはアンテナポート１９及び２０に対するＣＳＩ−ＲＳを位置させることができ、これらは、直交コードによって多重化できる。図８（ａ）の例示で、ＣＳＩ−ＲＳ  ＣＤＭグループ４と表示されたリソース要素にはアンテナポート２１及び２２に対するＣＳＩ−ＲＳを位置させることができ、これらは、直交コードによって多重化できる。図８（ａ）を基準にして説明した同一原理を、図８（ｂ）乃至８（ｅ）に適用することもできる。
【００７２】
図６乃至図８のＲＳパターンは単に例示的なものであり、本発明の様々な実施例を適用するにあって特定ＲＳパターンに限定されるものではない。すなわち、図６乃至図８と異なるＲＳパターンが定義及び使用される場合にも、本発明の様々な実施例を同様に適用することができる。
【００７３】
（ＣＳＩ−ＲＳ設定（ｃｏｎｆｉｇｕｒａｔｉｏｎ））
端末に設定された複数個のＣＳＩ−ＲＳと複数個の干渉測定リソース（Ｉｎｔｅｒｆｅｒｅｎｃｅ  Ｍｅａｓｕｒｅｍｅｎｔ  Ｒｅｓｏｕｒｃｅ：ＩＭＲ）のうち、信号測定のための一つのＣＳＩ−ＲＳリソースと干渉測定のための一つのＩＭＲとを関連付けて（ａｓｓｏｃｉａｔｉｏｎ）一つのＣＳＩプロセスを定義することができる。端末は、別個のＣＳＩプロセスから誘導されたＣＳＩ情報は、独立した周期及びサブフレームオフセット（ｓｕｂｆｒａｍｅ  ｏｆｆｓｅｔ）でネットワーク（例えば、基地局）にフィードバックする。
【００７４】
すなわち、それぞれのＣＳＩプロセスは、独立したＣＳＩフィードバック設定を有する。このようなＣＳＩ−ＲＳリソースとＩＭＲリソースとの関連付け（ａｓｓｏｃｉａｔｉｏｎ）情報及びＣＳＩフィードバック設定などは、ＣＳＩプロセス別にＲＲＣなどの上位層シグナリングで基地局が端末に知らせることができる。例えば、端末には表１のような３つのＣＳＩプロセスが設定されると仮定する。
【００７５】
【表１】
0006469208.tif 000004
【００７６】
表１で、ＣＳＩ−ＲＳ０とＣＳＩ−ＲＳ１は、それぞれ、端末のサービングセルであるセル１から受信するＣＳＩ−ＲＳと、協調に参加する隣接セルであるセル２から受信するＣＳＩ−ＲＳを表す。仮に表１における各ＣＳＩプロセスに対して設定されたＩＭＲに対して表２のように設定されたと仮定すれば、
【００７７】
【表２】
0006469208.tif 000005
【００７８】
ＩＭＲ  ０でセル１はミューティング（ｍｕｔｉｎｇ）を、セル２はデータ送信を行い、端末は、ＩＭＲ  ０から、セル１を除いた他のセルからの干渉を測定するように設定される。同様に、ＩＭＲ  １でセル２はミューティングを、セル１はデータ送信を行い、端末は、ＩＭＲ  １から、セル２を除いた他のセルからの干渉を測定するように設定される。また、ＩＭＲ  ２でセル１もセル２もミューティングを行い、端末は、ＩＭＲ  ２から、セル１及びセル２を除いた他のセルからの干渉を測定するように設定される。
【００７９】
したがって、表１及び表２に示すように、ＣＳＩプロセス０のＣＳＩ情報は、セル１からデータを受信する場合に最適のＲＩ、ＰＭＩ、ＣＱＩ情報を表す。ＣＳＩプロセス１のＣＳＩ情報は、セル２からデータを受信する場合に最適のＲＩ、ＰＭＩ、ＣＱＩ情報を示す。ＣＳＩプロセス２のＣＳＩ情報は、セル１からデータを受信し、セル２から干渉を一切受けない場合に、最適のＲＩ、ＰＭＩ、ＣＱＩ情報を示す。
【００８０】
一つの端末に設定された複数のＣＳＩプロセスは互いに従属的な値を共有することが好ましい。例えば、セル１とセル２とのＪＴ（ｊｏｉｎｔ  ｔｒａｎｓｍｉｓｓｉｏｎ）の場合、セル１のチャネルをシグナルパート（ｓｉｇｎａｌ  ｐａｒｔ）として見なすＣＳＩプロセス１と、セル２のチャネルをシグナルパート（ｓｉｇｎａｌ  ｐａｒｔ）として見なすＣＳＩプロセス２とが一つの端末に設定された場合、容易なＪＴスケジューリングのためには、ＣＳＩプロセス１とＣＳＩプロセス２のランク（ｒａｎｋ）及び選択されたサブバンドインデックスが同一でなければならない。
【００８１】
ＣＳＩ−ＲＳが送信される周期やパターンは基地局で設定（ｃｏｎｆｉｇｕｒａｔｉｏｎ）することができる。ＣＳＩ−ＲＳを測定するために、端末は必ず、自身の属したセルのそれぞれのＣＳＩ−ＲＳアンテナポートに対するＣＳＩ−ＲＳ設定（ｃｏｎｆｉｇｕｒａｔｉｏｎ）を知っていなければならない。ＣＳＩ−ＲＳ設定には、ＣＳＩ−ＲＳが送信される下りリンクサブフレームインデックス、送信サブフレームにおけるＣＳＩ−ＲＳリソース要素（ＲＥ）の時間−周波数の位置（例えば、図８（ａ）乃至図８（ｅ）のようなＣＳＩ−ＲＳパターン）、及びＣＳＩ−ＲＳシーケンス（ＣＳＩ−ＲＳの用途に用いられるシーケンスであって、スロット番号、セルＩＤ、ＣＰ長などに基づいて所定の規則によって類似−ランダム（ｐｓｅｕｄｏ−ｒａｎｄｏｍ）に生成される。）などを含めることができる。すなわち、任意の（ｇｉｖｅｎ）基地局で複数個のＣＳＩ−ＲＳ設定（ｃｏｎｆｉｇｕｒａｔｉｏｎ）が用いられてもよく、基地局は、複数個のＣＳＩ−ＲＳ設定のうち、セル内の端末に使用されるＣＳＩ−ＲＳ設定を知らせることができる。
【００８２】
また、それぞれのアンテナポートに対するＣＳＩ−ＲＳは区別される必要があるため、各アンテナポートに対するＣＳＩ−ＲＳが送信されるリソースは互いに直交（ｏｒｔｈｏｇｏｎａｌ）しなければならない。図８で説明したように、各アンテナポートに対するＣＳＩ−ＲＳは、直交する周波数リソース、直交する時間リソース及び／又は直交するコードリソースを用いてＦＤＭ、ＴＤＭ及び／又はＣＤＭ方式で多重化することができる。
【００８３】
ＣＳＩ−ＲＳに関する情報（ＣＳＩ−ＲＳ設定（ｃｏｎｆｉｇｕｒａｔｉｏｎ））を基地局がセル内の端末に知らせるとき、まず、各アンテナポートに対するＣＳＩ−ＲＳがマップされる時間−周波数に関する情報を知らせなければならない。具体的に、時間に関する情報には、ＣＳＩ−ＲＳが送信されるサブフレーム番号、ＣＳＩ−ＲＳが送信される周期、ＣＳＩ−ＲＳが送信されるサブフレームオフセット、特定アンテナのＣＳＩ−ＲＳリソース要素（ＲＥ）が送信されるＯＦＤＭシンボル番号などを含めることができる。周波数に関する情報には、特定アンテナのＣＳＩ−ＲＳリソース要素（ＲＥ）が送信される周波数間隔（ｓｐａｃｉｎｇ）、周波数軸におけるＲＥのオフセット又はシフト値などを含めることができる。
【００８４】
図９は、ＣＳＩ−ＲＳを周期的に送信する方式の一例を説明するための図である。ＣＳＩ−ＲＳは、１サブフレームの整数倍の周期（例えば、５サブフレーム周期、１０サブフレーム周期、２０サブフレーム周期、４０サブフレーム周期又は８０サブフレーム周期）で周期的に送信することができる。
【００８５】
図９では、１個の無線フレームが１０個のサブフレーム（サブフレーム番号０〜９）で構成される例を示す。図９では、例えば、基地局のＣＳＩ−ＲＳの送信周期が１０ｍｓ（すなわち、１０サブフレーム）であり、ＣＳＩ−ＲＳ送信オフセット（Ｏｆｆｓｅｔ）は３である場合を示す。複数のセルのＣＳＩ−ＲＳが時間上で均一に分布し得るように、上記オフセット値は基地局ごとに異なる値を有することができる。１０ｍｓの周期でＣＳＩ−ＲＳが送信される場合、オフセット値は０〜９のいずれか一つを有することができる。これと同様に、例えば、５ｍｓの周期でＣＳＩ−ＲＳが送信される場合、オフセット値は０〜４のいずれか一つの値を有することができ、２０ｍｓの周期でＣＳＩ−ＲＳが送信される場合、オフセット値は０〜１９のいずれか一つの値を有することができ、４０ｍｓの周期でＣＳＩ−ＲＳが送信される場合、オフセット値は０〜３９のいずれか一つの値を有することができ、８０ｍｓの周期でＣＳＩ−ＲＳが送信される場合、オフセット値は０〜７９のいずれか一つの値を有することができる。このオフセット値は、所定の周期でＣＳＩ−ＲＳを送信する基地局がＣＳＩ−ＲＳ送信を開始するサブフレームの値を示す。基地局がＣＳＩ−ＲＳの送信周期及びオフセット値を知らせると、端末はその値に基づいて該当のサブフレーム位置で基地局のＣＳＩ−ＲＳを受信することができる。端末は、受信したＣＳＩ−ＲＳからチャネルを測定し、その結果としてＣＱＩ、ＰＭＩ及び／又はＲＩ（Ｒａｎｋ  Ｉｎｄｉｃａｔｏｒ）のような情報を基地局に報告することができる。本文書では、ＣＱＩ、ＰＭＩ及びＲＩを区別して説明する場合を除けば、それらを総称してＣＱＩ（又はＣＳＩ）と呼ぶこともできる。また、ＣＳＩ−ＲＳ送信周期及びオフセットは、ＣＳＩ−ＲＳ設定（ｃｏｎｆｉｇｕｒａｔｉｏｎ）別に指定されてもよい。
【００８６】
図１０は、ＣＳＩ−ＲＳを非周期的に送信する方式の一例を説明するための図である。図１０では、１個の無線フレームが１０個のサブフレーム（サブフレーム番号０〜９）で構成される場合を示す。図１０に示すように、ＣＳＩ−ＲＳが送信されるサブフレームは特定のパターンで表されてもよい。例えば、ＣＳＩ−ＲＳ送信パターンが１０サブフレーム単位で構成されてもよく、各サブフレームでＣＳＩ−ＲＳ送信を行うか否かを１ビット指示子で指定することができる。図１０の例示では、１０個のサブフレーム（サブフレームインデックス０〜９）内のサブフレームインデックス３及び４で送信されるＣＳＩ−ＲＳパターンを示している。上記指示子は、上位層シグナリングで端末に提供することができる。
【００８７】
ＣＳＩ−ＲＳ送信に対する設定（ｃｏｎｆｉｇｕｒａｔｉｏｎ）は前述のように様々に構成されてもよく、端末が正しくＣＳＩ−ＲＳを受信してチャネル測定を行うようにするためには、基地局がＣＳＩ−ＲＳ設定を端末に知らせる必要がある。以下、ＣＳＩ−ＲＳ設定を端末に知らせる本発明の実施例について説明する。
【００８８】
（ＣＳＩ−ＲＳ設定を知らせる方式）
一般に、基地局が端末にＣＳＩ−ＲＳ設定（ｃｏｎｆｉｇｕｒａｔｉｏｎ）を知らせる方式として次の２つの方式を考慮することができる。
【００８９】
第一の方式は、動的ブロードキャストチャネル（Ｄｙｎａｍｉｃ  Ｂｒｏａｄｃａｓｔ  Ｃｈａｎｎｅｌ；ＤＢＣＨ）シグナリングを用いて、ＣＳＩ−ＲＳ設定に関する情報を、基地局が端末にブロードキャストする方式である。
【００９０】
既存のＬＴＥシステムにおいて、システム情報に関する内容を基地局が端末に知らせるとき、通常、ＢＣＨ（Ｂｒｏａｄｃａｓｔｉｎｇ  Ｃｈａｎｎｅｌ）で該当の情報を送信することができる。仮に端末に知らせるシステム情報に関する内容が多すぎることからＢＣＨだけでは全て送信できない場合に、基地局は一般の下りリンクデータと同様の方式でシステム情報を送信してもよい。ただし、このとき、基地局は、該当のデータのＰＤＣＣＨ  ＣＲＣを特定端末識別子（例えば、Ｃ−ＲＮＴＩ）ではなくシステム情報識別子（ＳＩ−ＲＮＴＩ）でマスクしてシステム情報を送信することができる。この場合、実際にシステム情報は一般ユニキャストデータと共にＰＤＳＣＨ領域上で送信される。これによって、セル中の全端末がＳＩ−ＲＮＴＩを用いてＰＤＣＣＨをデコードした後、当該ＰＤＣＣＨが示すＰＤＳＣＨをデコードしてシステム情報を取得することができる。このような方式のブロードキャスティング方式を一般的なブロードキャスティング方式であるＰＢＣＨ（Ｐｈｙｓｉｃａｌ  ＢＣＨ）と区別してＤＢＣＨ（Ｄｙｎａｍｉｃ  ＢＣＨ）と呼ぶことができる。
【００９１】
一方、既存のＬＴＥシステムでブロードキャストされるシステム情報を２種類に大別することができる。その一つは、ＰＢＣＨで送信されるＭＩＢ（Ｍａｓｔｅｒ  Ｉｎｆｏｒｍａｔｉｏｎ  Ｂｌｏｃｋ）であり、もう一つはＰＤＳＣＨ領域上で一般ユニキャストデータと多重化して送信されるＳＩＢ（Ｓｙｓｔｅｍ  Ｉｎｆｏｒｍａｔｉｏｎ  Ｂｌｏｃｋ）である。既存のＬＴＥシステムにおいてＳＩＢタイプ１乃至ＳＩＢタイプ８（ＳＩＢ１乃至ＳＩＢ８）として送信される情報を定義しているが、既存のＳＩＢタイプに定義されていない新しいシステム情報であるＣＳＩ−ＲＳ設定に関する情報のために新しいＳＩＢタイプを定義することができる。例えば、ＳＩＢ９又はＳＩＢ１０を定義し、これを用いてＣＳＩ−ＲＳ設定に関する情報を基地局がＤＢＣＨ方式でセル内の端末に知らせることができる。
【００９２】
第二の方式は、ＲＲＣ（Ｒａｄｉｏ  Ｒｅｓｏｕｒｃｅ  Ｃｏｎｔｒｏｌ）シグナリングを用いてＣＳＩ−ＲＳ設定に関する情報を基地局が各端末に知らせる方式である。すなわち、専用（ｄｅｄｉｃａｔｅｄ）のＲＲＣシグナリングを用いて、ＣＳＩ−ＲＳ設定に関する情報がセル内の端末にそれぞれに提供されるようにすることができる。例えば、端末が初期アクセス又はハンドオーバーによって基地局と接続（ｃｏｎｎｅｃｔｉｏｎ）を確立（ｅｓｔａｂｌｉｓｈ）する過程で、基地局が該当の端末にＲＲＣシグナリングでＣＳＩ−ＲＳ設定を知らせることができる。又は、基地局が端末にＣＳＩ−ＲＳ測定に基づくチャネル状態フィードバックを要求するＲＲＣシグナリングメッセージを送信する際、該当のＲＲＣシグナリングメッセージでＣＳＩ−ＲＳ設定を該当の端末に知らせることができる。
【００９３】
（ＣＳＩ−ＲＳ設定の指示（ｉｎｄｉｃａｔｉｏｎ））
任意の基地局で複数のＣＳＩ−ＲＳ設定が用いられてもよく、基地局は、それぞれのＣＳＩ−ＲＳ設定に従うＣＳＩ−ＲＳを、あらかじめ定められたサブフレーム上で端末に送信することができる。この場合、基地局は端末に複数のＣＳＩ−ＲＳ設定を知らせ、それらのうち、ＣＱＩ（Ｃｈａｎｎｅｌ  Ｑｕａｌｉｔｙ  Ｉｎｆｏｒｍａｔｉｏｎ）又はＣＳＩ（Ｃｈａｎｎｅｌ  Ｓｔａｔｅ  Ｉｎｆｏｒｍａｔｉｏｎ）フィードバックのためのチャネル状態測定に用いられるＣＳＩ−ＲＳがどれかを、端末に知らせることができる。
【００９４】
このように基地局が端末で用いられるＣＳＩ−ＲＳ設定及びチャネル測定に用いられるＣＳＩ−ＲＳを指示（ｉｎｄｉｃａｔｉｏｎ）することに関する実施例を以下に説明する。
【００９５】
図１１は、２個のＣＳＩ−ＲＳ設定が用いられる例を説明するための図である。図１１に、１個の無線フレームが１０個のサブフレーム（サブフレーム番号０乃至９）で構成される例を示す。図１１で、第１ＣＳＩ−ＲＳ設定、すなわち、ＣＳＩ−ＲＳ１は、ＣＳＩ−ＲＳの送信周期が１０ｍｓであり、ＣＳＩ−ＲＳ送信オフセットが３である。図１１で、第２ＣＳＩ−ＲＳ設定、すなわち、ＣＳＩ−ＲＳ２は、ＣＳＩ−ＲＳの送信周期が１０ｍｓであり、ＣＳＩ−ＲＳ送信オフセットが４である。基地局は端末に２つのＣＳＩ−ＲＳ設定に関する情報を知らせ、そのうちどのＣＳＩ−ＲＳ設定をＣＱＩ（又はＣＳＩ）フィードバックのために用いるかを知らせることができる。
【００９６】
端末は、特定ＣＳＩ−ＲＳ設定に対するＣＱＩフィードバックの要求を基地局から受けると、当該ＣＳＩ−ＲＳ設定に属するＣＳＩ−ＲＳだけを用いてチャネル状態測定を行うことができる。具体的に、チャネル状態は、ＣＳＩ−ＲＳ受信品質、雑音／干渉の量及び相関係数の関数で決定されるが、ＣＳＩ−ＲＳ受信品質の測定は、該当のＣＳＩ−ＲＳ設定に属するＣＳＩ−ＲＳだけを用いて行われ、雑音／干渉の量と相関係数（例えば、干渉の方向を示す干渉共分散行列（Ｉｎｔｅｒｆｅｒｅｎｃｅ  Ｃｏｖａｒｉａｎｃｅ  Ｍａｔｒｉｘ）など）を測定するためには、該当のＣＳＩ−ＲＳ送信サブフレームで又は指定されたサブフレームで測定を行うことができる。例えば、図１１の実施例で、基地局から端末に第１ＣＳＩ−ＲＳ設定（ＣＳＩ−ＲＳ１）に対するフィードバックが要求された場合、端末が１つの無線フレームの４番目のサブフレーム（サブフレームインデックス３）で送信されるＣＳＩ−ＲＳを用いて受信品質の測定を行い、雑音／干渉の量と相関係数の測定のためには別途に奇数番目のサブフレームを用いるように指定することができる。又は、ＣＳＩ−ＲＳ受信品質の測定と雑音／干渉の量及び相関係数の測定を特定の単一サブフレーム（例えば、サブフレームインデックス３）に限って測定するように指定されてもよい。
【００９７】
例えば、ＣＳＩ−ＲＳを用いて測定された受信信号品質は、信号−対−干渉及び雑音比（Ｓｉｇｎａｌ−ｔｏ−Ｉｎｔｅｒｆｅｒｅｎｃｅ  ｐｌｕｓ  Ｎｏｉｓｅ  Ｒａｔｉｏ；ＳＩＮＲ）であって、簡略にＳ／（Ｉ＋Ｎ）（ここで、Ｓは受信信号の強度、Ｉは干渉の量、Ｎはノイズの量）と表現することができる。Ｓは、該当の端末に送信される信号を含むサブフレームでＣＳＩ−ＲＳを含むサブフレームでＣＳＩ−ＲＳから測定することができる。Ｉ及びＮは、周辺のセルからの干渉の量、周辺のセルからの信号の方向などによって変化するので、Ｓを測定するサブフレーム又は別に指定されるサブフレームで送信されるＣＲＳなどから測定することができる。
【００９８】
ここで、雑音／干渉の量及び相関係数の測定は、該当のサブフレーム内のＣＲＳ又はＣＳＩ−ＲＳが送信されるリソース要素（Ｒｅｓｏｕｒｃｅ  Ｅｌｅｍｅｎｔ；ＲＥ）で行われてもよく、雑音／干渉の測定を容易にするために設定されたヌルリソース要素（Ｎｕｌｌ  ＲＥ）で行われてもよい。ＣＲＳ又はＣＳＩ−ＲＳ  ＲＥで雑音／干渉を測定するために、端末はまずＣＲＳ又はＣＳＩ−ＲＳを復旧（ｒｅｃｏｖｅｒ）した後、その結果を受信信号から引いて（ｓｕｂｔｒａｃｔ）雑音及び干渉信号だけを残し、この雑音及び干渉信号から雑音／干渉の統計値を得ることができる。Ｎｕｌｌ  ＲＥは、該当の基地局がいかなる信号も送信しないで空にしておいた（すなわち、送信電力が０（ｚｅｒｏ）である）ＲＥを意味し、該当の基地局を除く他の基地局からの信号の測定を容易にさせる。雑音／干渉の量及び相関係数の測定のためにＣＲＳ  ＲＥ、ＣＳＩ−ＲＳ  ＲＥ及びＮｕｌｌ  ＲＥを全て用いてもよいが、基地局は、これらのうちどのＲＥを用いて雑音／干渉を測定すればよいかを端末に指定してもよい。これは、端末が測定を行うＲＥ位置で送信される隣接セルの信号がデータ信号であるか又は制御信号であるかなどによって、該当の端末が測定するＲＥを適宜指定することが必要なためであり、該当のＲＥ位置で送信される隣接セルの信号は、セル間の同期が取れるか否か、ＣＲＳ設定（ｃｏｎｆｉｇｕｒａｔｉｏｎ）及びＣＳＩ−ＲＳ設定などによって変わるので、基地局でそれを把握し、測定を行うＲＥを端末に知らせることができる。すなわち、基地局はＣＲＳ  ＲＥ、ＣＳＩ−ＲＳ  ＲＥ及びＮｕｌｌ  ＲＥの全て又は一部を用いて雑音／干渉を測定するように端末機に指定することができる。
【００９９】
例えば、基地局は複数個のＣＳＩ−ＲＳ設定を用いることができ、基地局は端末に、一つ以上のＣＳＩ−ＲＳ設定を知らせながら、そのうち、ＣＱＩフィードバックに用いられるＣＳＩ−ＲＳ設定及びＮｕｌｌ  ＲＥ位置について知らせることができる。端末がＣＱＩフィードバックに用いるＣＳＩ−ＲＳ設定は、０の送信電力で送信されるＮｕｌｌ  ＲＥと区別する側面で表現すると、０でない（ｎｏｎ−ｚｅｒｏ）送信電力で送信されるＣＳＩ−ＲＳ設定ということができる。例えば、基地局は、端末がチャネル測定を行う一つのＣＳＩ−ＲＳ設定を知らせ、端末は当該一つのＣＳＩ−ＲＳ設定においてＣＳＩ−ＲＳが０でない（ｎｏｎ−ｚｅｒｏ）送信電力で送信されると仮定（ａｓｓｕｍｅ）することができる。これに加えて、基地局は０の送信電力で送信されるＣＳＩ−ＲＳ設定について（すなわち、Ｎｕｌｌ  ＲＥ位置について）知らせ、端末は、当該ＣＳＩ−ＲＳ設定のリソース要素（ＲＥ）位置に対して０の送信電力であることを仮定することができる。言い換えると、基地局は、０でない送信電力の一つのＣＳＩ−ＲＳ設定を端末に知らせながら、０の送信電力のＣＳＩ−ＲＳ設定が存在する場合には該当のＮｕｌｌ  ＲＥ位置を端末に知らせることができる。
【０１００】
このようなＣＳＩ−ＲＳ設定を示す方案の変形例として、基地局は端末に複数のＣＳＩ−ＲＳ設定を知らせ、そのうち、ＣＱＩフィードバックに用いられる全て又は一部のＣＳＩ−ＲＳ設定について知らせることができる。これによって、複数のＣＳＩ−ＲＳ設定に対してＣＱＩフィードバックをするように要求された端末は、それぞれのＣＳＩ−ＲＳ設定に該当するＣＳＩ−ＲＳを用いてＣＱＩを測定し、測定された複数のＣＱＩ情報を共に基地局に送信することができる。
【０１０１】
又は、端末が複数のＣＳＩ−ＲＳ設定のそれぞれに対するＣＱＩを基地局に送信できるように、基地局は端末のＣＱＩ送信に必要な上りリンクリソースをそれぞれのＣＳＩ−ＲＳ設定別にあらかじめ指定してもよい。基地局はこのような上りリンクリソース指定に関する情報をＲＲＣシグナリングであらかじめ端末に提供することができる。
【０１０２】
又は、基地局は、端末が複数のＣＳＩ−ＲＳ設定のそれぞれに対するＣＱＩを基地局に送信するように動的にトリガ（ｔｒｉｇｇｅｒ）してもよい。基地局はＣＱＩ送信の動的なトリガリングをＰＤＣＣＨで行うことができる。どのＣＳＩ−ＲＳ設定に対するＣＱＩ測定を行うかをＰＤＣＣＨで端末に知らせることができる。このようなＰＤＣＣＨを受信した端末は、当該ＰＤＣＣＨで指定されたＣＳＩ−ＲＳ設定に対するＣＱＩ測定の結果を基地局にフィードバックすることができる。
【０１０３】
複数のＣＳＩ−ＲＳ設定のそれぞれに該当するＣＳＩ−ＲＳの送信時点は、別個のサブフレームで送信されるように指定されてもよく、同一サブフレームで送信されるように指定されてもよい。同一サブフレームで別個のＣＳＩ−ＲＳ設定によるＣＳＩ−ＲＳの送信が指定される場合、これらをそれぞれ区別する必要がある。別個のＣＳＩ−ＲＳ設定によるＣＳＩ−ＲＳを区別するために、ＣＳＩ−ＲＳ送信の時間リソース、周波数リソース及びコードリソースのうち一つ以上を異なるように適用することができる。例えば、該当のサブフレームでＣＳＩ−ＲＳの送信ＲＥ位置がＣＳＩ−ＲＳ設定別に異なるように（例えば、一つのＣＳＩ−ＲＳ設定によるＣＳＩ−ＲＳは図８（ａ）のＲＥ位置で送信され、他のＣＳＩ−ＲＳ設定によるＣＳＩ−ＲＳは同一のサブフレームにおいて図８（ｂ）のＲＥ位置で送信されるように）指定することができる（時間及び周波数リソースを用いた区別）。又は、別個のＣＳＩ−ＲＳ設定によるＣＳＩ−ＲＳが同一のＲＥ位置で送信される場合に、別個のＣＳＩ−ＲＳ設定で別個のＣＳＩ−ＲＳスクランブリングコードを用いることによって互いに区別されるようにしてもよい（コードリソースを用いた区別）。
【０１０４】
（擬似コロケーテッド（ｑｕａｓｉ  ｃｏ−ｌｏｃａｔｅｄ；ＱＣ））
端末は複数の送信ポイント（ｔｒａｎｓｍｉｓｓｉｏｎ  ｐｏｉｎｔ；ＴＰ）、例えば、ＴＰ１及びＴＰ２からデータを受信することができ、これによって、端末は上記複数のＴＰに対するチャネル状態情報を送信することができる。この場合、ＲＳも上記複数のＴＰから上記端末に送信されてもよい。この場合において、別個のＴＰの別個のＲＳポートからのチャネル推定のための特性を互いに共有できるなら、上記端末の受信プロセシングの負荷及び複雑度を下げることができる。しかも、同一ＴＰの別個のＲＳポートからのチャネル推定のための特性をＲＳポート同士が共有できるなら、上記端末の受信プロセシングの負荷及び複雑度を下げることができる。そこで、ＬＴＥ−Ａシステムは、ＲＳポート間のチャネル推定のための特性を共有する方案を提案している。
【０１０５】
このようなＲＳポート間のチャネル推定のために、ＬＴＥ−Ａシステムは“擬似コロケーテッド（ｑｕａｓｉ  ｃｏ−ｌｏｃａｔｅｄ；ＱＣＬ）”という概念を導入した。例えば、一つのアンテナポートを介してシンボルが伝達される無線チャネルの広範囲特性（ｌａｒｇｅ−ｓｃａｌｅ  ｐｒｏｐｅｒｔｙ）が、他のアンテナポートを介してシンボルが伝達される無線チャネルから暗示（ｉｎｆｅｒ）され得る場合、これら２つのアンテナポートは擬似コロケーテッドされるといえる。ここで、広範囲特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）及び平均遅延（ａｖｅｒａｇｅ  ｄｅｌａｙ）のうち一つ以上を含む。以下、擬似コロケーテッドを簡略にＱＣＬと呼ぶ。
【０１０６】
すなわち、２つのアンテナポートがＱＣＬされたということは、一つのアンテナポートからの無線チャネルの広範囲特性が、他のアンテナポートからの無線チャネルの広範囲特性と同一であることを意味する。別個の２つのＲＳが送信されるアンテナポートがＱＣＬされると、一つのアンテナポートからの無線チャネルの広範囲特性を他のアンテナポートからの無線チャネルの広範囲特性に置き換えることができることである。
【０１０７】
上記ＱＣＬの概念から、端末は非ＱＣＬアンテナポートに対しては、それらのアンテナポートからの無線チャネル間に同一の広範囲特性を仮定することができない。すなわち、この場合、端末は、タイミング取得及びトラッキング（ｔｒａｃｋｉｎｇ）、周波数オフセット推定及び補償、遅延推定及びドップラー推定などに対して、それぞれの設定された非ＱＣＬアンテナポート別に独立したプロセシングを行わなければならない。
【０１０８】
ＱＣＬ仮定が可能なアンテナポートに対して、端末は次のような動作が行えるという長所がある。まず、端末は、いずれか一つのアンテナポートからの無線チャネルに対する遅延拡散、ドップラースペクトル、ドップラー拡散推定の結果を他のアンテナポートからの無線チャネルに対するチャネル推定時に用いることができる。次に、周波数シフト及び受信されたタイミングに対して、端末はいずれか一つのアンテナポートに対する時間及び周波数同期化を行った後、同一の同期化を他のアンテナポートの復調に適用することができる。次に、平均受信電力に対して、端末は２つ以上のアンテナポートに対してＲＳＲＰ（Ｒｅｆｅｒｅｎｃｅ  Ｓｉｇｎａｌ  Ｒｅｃｅｉｖｅｄ  Ｐｏｗｅｒ）測定を平均することができる。
【０１０９】
端末が制御チャネル（ＰＤＣＣＨ又はｅＰＤＣＣＨ）でＤＭＲＳベースの下りリンク関連ＤＣＩフォーマットを受信すると、端末はＤＭＲＳシーケンスから該当のＰＤＳＣＨに対するチャネル推定を行った後、データ復調を行う。例えば、端末が下りリンクスケジューリンググラント（ｇｒａｎｔ）から受信したＤＭＲＳポートの構成（ｃｏｎｆｉｇｕｒａｔｉｏｎ）がＣＲＳポートとのＱＣＬ仮定（ａｓｓｕｍｐｔｉｏｎ）が可能であれば、端末は当該ＤＭＲＳポートに対するチャネル推定時に、ＣＲＳポートから推定した無線チャネルの広範囲特性の推定値をそのまま適用することができる。これは、ＣＲＳは毎サブフレームで且つ全帯域にわたって相対的に高い密度（ｄｅｎｓｉｔｙ）でブロードキャストされる参照信号であるから、一般に、広範囲特性に関する推定値をＣＲＳからより安定して取得できるためである。これに対し、ＤＭＲＳは、特定のスケジュールされたＲＢに対しては端末特定に送信され、またＰＲＧ単位で基地局が送信に用いたプリコーディング行列が変わり得るため、端末に受信される有効チャネルはＰＲＧ単位で変わることがある。このため、広い帯域にわたってＤＭＲＳを無線チャネルの広範囲特性の推定に用いると、性能劣化の発生につながりうる。ＣＳＩ−ＲＳも比較的に送信周期が長く、低い密度を有するため、ＣＳＩ−ＲＳも同様に、無線チャネルの広範囲特性の推定に用いる場合、性能劣化を招きうる。
【０１１０】
すなわち、アンテナポート間のＱＣＬ仮定を、各種の下りリンク参照信号の受信、チャネル推定、チャネル状態報告などに活用することができる。
【０１１１】
（ＭＵ−ＭＩＭＯ関連下りリンク制御情報（ＤＣＩ））
表３に、従来のＬＴＥシステムで支援するＤＭＲＳポート、レイヤ及びｎＳＣＩＤ組み合わせに対する３ビットＤＣＩフィールドを示す。
【０１１２】
【表３】
0006469208.tif 000006
【０１１３】
表３を参照すると、ＬＴＥシステムでは次のような２つのＭＵ−ＭＩＭＯ関連制限がある。
【０１１４】
第一は、ＭＵ−ＭＩＭＯ可能な最大ＵＥの個数である。ＤＭＲＳがＰＣＩＤ（ｐｈｙｓｉｃａｌ  ｃｅｌｌ  ＩＤ）にマップされたＲｅｌ−１１以前のシステムでは最大４つのＵＥに対してＭＵ−ＭＩＭＯが可能である。しかし、Ｒｅｌ−１１以降にＤＭＲＳ  ＶＣＩＤ（ｖｉｒｔｕａｌ  ｃｅｌｌ  ＩＤ）が導入されることから、１つのセルで生成及び利用可能な擬似直交（ｑｕａｓｉ−ｏｒｔｈｏｇｏｎａｌ）するＤＭＲＳの個数が増えており、その結果、それを活用した４つ以上のＵＥに対してＭＵ−ＭＩＭＯが可能である。
【０１１５】
第二は、ＭＵ−ＭＩＭＯレイヤ間の割り当て可能な直交ＤＭＲＳの個数である。擬似直交するＤＭＲＳを用いて１つのセルで４つ以上のＵＥがＭＵ−ＭＩＭＯサービスを受けることができるが、直交ＤＭＲＳでないことからチャネル推定性能の劣化が予想される。ＤＭＲＳチャネル推定正確度の改善のために、ＭＵ−ＭＩＭＯレイヤ間に直交ＤＭＲＳ割り当てを行うと、可能なＭＵ−ＭＩＭＯ  ＵＥの個数は現在のＬＴＥ仕様において２に制限され、各ＵＥのレイヤ数は１に制限される。すなわち、この場合にＭＵ−ＭＩＭＯされるＵＥは、次表４における２つのケースだけである。
【０１１６】
【表４】
0006469208.tif 000007
【０１１７】
一般に、２個の送信アンテナが設置された現ＬＴＥシステムでは、アンテナ数によってＭＵ−ＭＩＭＯ数が２に制限されるため、このような制約下でもＭＵ−ＭＩＭＯがよく動作できる。しかし、将来は３Ｄ  ＭＩＭＯ技術が導入されることにより、基地局は数十個乃至数百個の送信アンテナを用いるようになり、その結果、可能なＭＵ−ＭＩＭＯ  ＵＥの個数も非常に増加するだろう。このように多数の送信アンテナを有する状況では、上述した制約によって到達可能なＭＵ−ＭＩＭＯ性能が低下しうる。
【０１１８】
以下では、ＭＵ−ＭＩＭＯ  ＵＥ間に割り当て可能な直交ＤＭＲＳの個数を、従来のＬＴＥシステムが支援する２個からＮ個へと増加させる本発明の実施例を説明する。その結果、ＭＵ−ＭＩＭＯ  ＵＥの個数が３以上と増加した場合にも、各ＵＥはＭＵ−ＭＩＭＯ  ＵＥ間の干渉無しでＤＭＲＳチャネルを推定することができる。本発明は、将来に３Ｄ−ＭＩＭＯ技術によって基地局アンテナが爆発的に増える環境で多数のＭＵ−ＭＩＭＯ  ＵＥを支援するときに効果的に用いることができる。
【０１１９】
（第１の実施例（ポートスワッピング（Ｐｏｒｔ  ｓｗａｐｐｉｎｇ））
本発明の第１の実施例は、ＤＭＲＳ  ｐｏｒｔ  ｉとＤＭＲＳ  ｐｏｒｔ  ｊを互いに換えて用いる方法に関する。
【０１２０】
例えば、特定ＵＥがポート７とポート１１を換えて運用する場合、単一レイヤ送信においてポート７の代わりにｎＳＣＩＤ０又は１を用いてポート１１でＤＭＲＳを受信し、５レイヤ送信において５番目のレイヤをポート１１Ｋ代わりに、固定されたｎＳＣＩＤ０とポート７で受信する。次の第１−１の実施例及び第１−２の実施例においてポートスワッピングを具体的な実施例として説明する。
【０１２１】
（第１−１の実施例（Ｐｏｒｔ  ｓｗａｐｐｉｎｇ  ｉｎ  ｔｈｅ  ｓａｍｅ  ＣＤＭ  ｇｒｏｕｐ））
従来技術によれば、ＤＭＲＳポートは、ウォルシュ符号（Ｗａｌｓｈ  ｃｏｄｅ）でＣＤＭされたりＦＤＭされる。すなわち、ポート｛７，８，１１，１３｝とポート｛９，１０，１２，１４｝はそれぞれ、同一周波数リソースに対してＣＤＭされ、両ポートグループはＦＤＭされる。
【０１２２】
まず、第１−１の実施例として同一ＣＤＭグループ内のポート間にポートスワッピングを適用し、これで得られる利益（ｂｅｎｅｆｉｔ）をＭＵ−ＭＩＭＯ側面で説明する。
【０１２３】
図１２に、同一ＣＤＭグループ内のポート間スワッピングの一例を示す。同図では、ポート（７，１１）、（８，１３）、（９，１２）、（１０，１４）の各ペア（ｐａｉｒ）でポートの役割を交換する。例えば、ポート７とポート１１を換えて運用する場合、単一レイヤ送信においてポート７の代わりに、ｎＳＣＩＤ０又は１を用いてポート１１でＤＭＲＳを受信し、５レイヤ送信において５番目のレイヤをポート１１の代わりに、固定されたｎＳＣＩＤ０とポート７で受信する。
【０１２４】
基地局とＵＥとの間でこのようなポート交換を合わせるためには信号交換が必要である。例えば、基地局はＵＥに、ＤＣＩに１ビットを追加してポートスワッピングをオン／オフ（ｏｎ／ｏｆｆ）し、ポート運用を互いに約束することができる。図１２では１つのワッピングパターンを例示しているが、スワッピングパターンは複数個存在してもよい。その場合には、より多数のビットを割り当ててポートスワッピングパターンを示すことができる。また、ポートスワッピングを半静的（ｓｅｍｉ−ｓｔａｔｉｃ）に運用し、この情報をＲＲＣシグナリングで示すことができる。シグナリング方式の詳細については第１−４の実施例で説明する。
【０１２５】
図１２のようにポートスワッピングが適用されたＵＥは、表３に与えられたＤＣＩフィールド解釈を表５のように解釈してＤＭＲＳを受信することができる。
【０１２６】
【表５】
0006469208.tif 000008
【０１２７】
図１２のようにポートスワッピングを適用すると、直交ＤＭＲＳを有するＭＵ−ＭＩＭＯ  ＵＥの数及びＭＵ−ＭＩＭＯレイヤの個数を増加させることができる。例えば、次表６のように、直交ＤＭＲＳを有する４個のＵＥをＭＵ−ＭＩＭＯすることができる。
【０１２８】
【表６】
0006469208.tif 000009
【０１２９】
他の例として、次表７のように、ＵＥ当たりに２レイヤ送信して、直交ＤＭＲＳを有する２名のＵＥをＭＵ−ＭＩＭＯすることができる。
【０１３０】
【表７】
0006469208.tif 000010
【０１３１】
（第１−２の実施例（Ｐｏｒｔ  ｓｗａｐｐｉｎｇ  ｂｅｔｗｅｅｎ  ｄｉｆｆｅｒｅｎｔ  ＣＤＭ  ｇｒｏｕｐ））
本発明の第１−２の実施例として、図１３のようにＣＤＭグループ間にポートスワッピングを適用することができる。
【０１３２】
図１３のようにポートスワッピングが適用されたＵＥは、表３に与えられたＤＣＩフィールド解釈を表８のように解釈してＤＭＲＳを受信する。
【０１３３】
【表８】
0006469208.tif 000011
【０１３４】
図１３のようにポートスワッピングを適用すると、直交ＤＭＲＳを有するＭＵ−ＭＩＭＯ  ＵＥの数及びＭＵ−ＭＩＭＯレイヤの個数を増加させることができる。例えば下記のように直交ＤＭＲＳを有する４名のＵＥをＭＵ−ＭＩＭＯすることができる。
【０１３５】
【表９】
0006469208.tif 000012
【０１３６】
他の例としても、次表１０のように、直交ＤＭＲＳを有する２名のＵＥをＭＵ−ＭＩＭＯすることができる。（ＵＥ当たりに２レイヤ送信）
【０１３７】
【表１０】
0006469208.tif 000013
【０１３８】
（第１−３実施例（多重スワッピングパターン（ｍｕｌｔｉｐｌｅ  ｓｗａｐｐｉｎｇ  ｐａｔｔｅｒｎ）の活用））
一つのセルで図１２、図１３及びその他様々なスワッピングパターンを全て活用してＵＥにシグナリングする場合、直交ＤＭＲＳを有するＭＵ−ＭＩＭＯ  ＵＥの数を最大８個と増加させることができる。例えば、次表１１のように８名のＵＥ間ＭＵ−ＭＩＭＯが可能である。
【０１３９】
【表１１】
0006469208.tif 000014
【０１４０】
より一般的に、ＵＥ別に、８個のＤＭＲＳポートと８個のレイヤ間のマッピングを基地局がシグナリング（例えば、ＲＲＣレベルで半静的にシグナリング）することができる。例えば、第１レイヤ及び第２レイヤと連結され得るポートグループＡと、第３乃至第８レイヤと連結され得るポートグループＢとを分けて基地局が各ＵＥにシグナリングする。具体的に、ポートグループＡは｛ポート１１，１３｝、ポートグループＢは｛ポート９，１０，７，１２，８，１４｝を表すことができる。ＭＵ−ＭＩＭＯスケジューリングを考慮して低いランク（ｌｏｗ  ｒａｎｋ）に該当するグループＡは、マップされたレイヤセットのレイヤ（すなわち、第１レイヤ、第２レイヤ）と任意に連結され得る。すなわち、第１レイヤはポート１１又はポート１３のいずれにも連結可能であり、第２レイヤは、第１レイヤと連結されたポート以外の残りポートと連結される。グループＢは、マップされたレイヤセットのレイヤと１：１で連結される。すなわち、第３乃至第８レイヤはそれぞれ順に、ポート９，１０，７，１２，８，１４と１：１マップされる。
【０１４１】
又は、次のように一般化して、基地局が各ＵＥにポートＡ，Ｂ，Ｃ，Ｄ，Ｅ，Ｆ，Ｇ，Ｈをポート７，８，９，１０，１１，１２，１３，１４，１５と１：１マップさせ、そのマッピング情報をシグナリング（例えば、ＲＲＣレベルでで半静的にシグナリング）することができる。ＵＥは、ポートＡ，Ｂ，Ｃ，Ｄ，Ｅ，Ｆ，Ｇ，Ｈを次表１２のように解釈し、基地局から受信したマッピングによってポート番号に変形して解釈する。
【０１４２】
【表１２】
0006469208.tif 000015
【０１４３】
（第１−４実施例（ポートスワッピングのための制御信号の設計））
基地局とＵＥがこのようなポート交換を合わせるためには両者間のシグナリングが導入されなければならない。例えば、基地局はＵＥに、ＤＣＩに１ビットを追加してポートスワッピングをオン／オフし、ポート運用を互いに約束することができる。図１２で定められたスワッピングパターンは１個であるが、複数個存在してもよい。この場合、より多数のビットを割り当ててポートスワッピングパターンを示すことができる。また、ポートスワッピングを半静的に運用し、その情報をＲＲＣシグナリングで示すことができる。
【０１４４】
まず、このようなシグナリングは動的指示（Ｄｙｎａｍｉｃ  ｉｎｄｉｃａｔｉｏｎ）方法を用いることができ、動的指示方法の第一の例としてＰＱＩ状態（ＰＱＩ  ｓｔａｔｅ）を活用することができる。
【０１４５】
ＤＣＩで送信されるＰＱＩフィールドは、ＣｏＭＰ動作においてＱＣＬ情報及びレートマッチング（Ｒａｔｅ  ｍａｔｃｈｉｎｇ）情報を知らせる役割を担う。本来の目的の他、ポートスワッピングに対するシグナリング用途にＰＱＩを次のように用いることもできる。
【０１４６】
ＤＰＢ  ＵＥ、ＣＳ／ＣＢ  ＵＥ又はｎｏｎ−ＣｏＭＰ  ＵＥがＴＭ１０以上のサービスを受けた場合、４つのＰＱＩ状態のうち、実際に用いられる状態（ｓｔａｔｅ）は１つの状態に限定される。これは、ＰＤＳＣＨを送信するＴＰはサービングＴＰしかないからである。したがって、この場合、ＰＱＩ状態にポートスワッピングパターンをマップして運用することができる。例えば、次のように４個のＰＱＩ状態は、サービングＴＰのレートマッチング情報、サービングＴＰのＰＱＩ情報を共通値として持っており、別個のポートスワッピングパターンを有することができる。例えば、パターン１，２，３，４はそれぞれ、ｎｏスワッピング、図１２のスワッピング、図１３のスワッピング、その他のスワッピングパターンと定義することができる。
【０１４７】
【表１３】
0006469208.tif 000016
【０１４８】
ＤＰＳ  ＵＥの場合、ＰＤＳＣＨを送信するＴＰは、サービングＴＰを含めて複数個のＴＰのうち一つが動的に選択される。この場合、４個のＰＱＩ状態のうち一部はＤＰＳのために活用し、残りの一部はポートスワッピングパターンを知らせるための用途に用いることができる。例えば、ＰＱＩ状態１，２，３はＣｏＭＰのために活用され、そのうちＰＱＩ状態１がサービングＴＰに対するＱＣＬ情報及びレートマッチング情報を示すと仮定すれば、残りのＰＱＩ状態４をポートスワッピングのために用いることができる。すなわち、ＰＱＩ状態１と４は同一のＱＣＬ情報及びレートマッチング情報を示すが、別個のスワッピングパターンを知らせることができる。この場合、サービングＴＰからＰＤＳＣＨを受信する場合に限ってスワッピングを適用することができる。
【０１４９】
動的指示方法の第二の例として、ｎＳＣＩＤを用いることができる。
【０１５０】
従来の技術によれば、表３のように、一つのＵＥの受信ランクが低い場合、ＭＵ−ＭＩＭＯをするために２つのｎＳＣＩＤを設定することができる。従来の目的の他に、ポートスワッピングに対するシグナリング用途にｎＳＣＩＤを次のように活用することもできる。
【０１５１】
ｎＳＣＩＤが０の場合と１の場合、それぞれ異なるスワッピングパターンを用いることができる。例えば、基地局とＵＥは、ｎＳＣＩＤが０の場合、ポートスワッピングをオフし、１の場合、図１２のポートスワッピングパターンをオンすることと約束することができる。この場合、表３のＤＣＩフィールドは表１４のようにに変更される。
【０１５２】
また、ｎＳＣＩＤを用いたポートスワッピングシグナリングは、ＵＥ特定に定義されてもよい。すなわち、ＵＥ１は、表１４のようにｎＳＣＩＤ１に対して図１２のポートスワッピングパターンを適用し、ＵＥ２はｎＳＣＩＤ１に対して図１３のスワッピングパターンを適用することで、ＭＵ−ＭＩＭＯ可能な直交ＵＥ候補を増やすことができる。
【０１５３】
【表１４】
0006469208.tif 000017
【０１５４】
動的指示方法の第三の例として、ＤＣＩポート及びレイヤ（ＤＭＲＳ  Ｐｏｒｔ  ＆  ｌａｙｅｒ）フィールドの拡張を用いることができる。
【０１５５】
ＤＣＩに定義された既存ＤＭＲＳポート及びレイヤフィールドを拡張して、スワッピングされたポートをさらに示すことができる。例えば、図１２のようなスワッピングを考慮すると、合計４ビットに該当するＤＣＩフィールドを新しく作って用いることができる。
【０１５６】
動的指示方法の第三の例として、ポートスワッピングシグナルのための新しいＤＣＩフィールドを追加することができる。例えば、ポートスワッピングパターンが２個ある場合、すなわち、スワッピングＯＮとスワッピングＯＦＦである場合、１ビットシグナリングで指示可能であり、ＵＥは、この値によってそれぞれＤＭＲＳポート及びレイヤフィールドを解釈する。
【０１５７】
動的指示方法の第四の例として、ｅＰＤＣＣＨセットを用いることができる。
【０１５８】
すなわち、ポートスワッピングパターンをｅＰＤＣＣＨセットに結び付けて（ｔｉｅ）シグナリングすることができる。例えば、セット０からＰＤＳＣＨに該当するＤＣＩが検出された場合、スワッピングパターン１を用いると判断し、セット１からＰＤＳＣＨに該当するＤＣＩが検出された場合、スワッピングパターン２を用いると判断することとＵＥと基地局が約束することができる。
【０１５９】
動的指示方法の第四の例として、ＰＤＣＣＨ探索空間（ＰＤＣＣＨ  ｓｅａｒｃｈ  ｓｐａｃｅ）を用いることができる。
【０１６０】
例えば、共通探索空間（Ｃｏｍｍｏｎ  ｓｅａｒｃｈ  ｓｐａｃｅ）でＤＣＩが検出された場合とＵＥ特定探索空間（ＵＥ  ｓｐｅｃｉｆｉｃ  ｓｅａｒｃｈ  ｓｐａｃｅ）でＤＣＩが検出された場合、それぞれに対して別個のポートスワッピングパターンを適用する。
【０１６１】
一方、上述した動的シグナリング方法と違い、半静的シグナリング方法を用いてもよい。
【０１６２】
半静的シグナリング方法の第一の例として、ＣＲＮＴＩを用いることができる。
【０１６３】
各ＵＥに与えられるＣＲＮＴＩを用いてポートスワッピングをシグナリングすることができる。例えば、ポートスワッピングがＮ個である場合、ＣＲＮＴＩをモジューロＮ演算して得られる０からＮ−１までそれぞれマップして用いることができる。この場合、一つのＵＥは、ハンドオーバーして新しいＣＲＮＴＩを受け取らない以上、一つのポートスワッピングパターンを用いるようになるが、一つのセルではパターンの異なる複数のＵＥが存在するので、直交ＭＵ  ＭＩＭＯ数を増加させることができる。
【０１６４】
半静的シグナリング方法の第二の例として、新しいＲＲＣシグナリングを用いることができる。
【０１６５】
例えば、基地局がＵＥにポートスワッピングパターンをＲＲＣシグナリングで知らせることができる。
【０１６６】
半静的シグナリング方法の第三の例として、周波数時間リソース別ポートスワッピングパターンを適用することができる。
【０１６７】
周波数時間リソース別にポートスワッピングをＯＮ／ＯＦＦしたり、別個のスワッピングパターンを適用することができる。例えば、サブフレームセットを２つ生成し、セット０、セット１をそれぞれ偶数、奇数サブフレームとしたとき、セット０にはスワッピングパターン１を、セット１にはパターン２を適用することができる。サブフレームセット及びセット別スワッピングパターンは、ＲＲＣシグナリングを用いて基地局がＵＥに示すことができる。又は、ＭＢＳＦＮサブフレームと非ＭＢＳＦＮサブフレームを区別して別個のパターンを適用することもできる。
【０１６８】
（第２の実施例（低いランクの場合におけるポート取り替え（Ｐｏｒｔ  ｒｅｐｌａｃｅｍｅｎｔ）））
本発明の第２の実施例によれば、低いランク（例えば、ランク１／２）で用いるＤＭＲＳポート  ｉ（例えば、ポート７／８）を他のＤＭＲＳポートに取り換えて適用することができる。第１の実施例では、ポート  ｉとポート  ｊを互いに換える方法を適用したが、第２の実施例の方法は、一つのＵＥに割り当てられたランクが小さい場合に限って適用され、既存に低いランクで用いるポート  ｉの代わりに、既存に高いランク（ｈｉｇｈ  ｒａｎｋ）で用いるポート  ｊを用いる方法である。
【０１６９】
例えば、図１４のようにＵＥのランクが２以下の場合、ポート７、８の代わりにポート１１、１３を用いることができる。
【０１７０】
図１３のようにポートスワッピングが適用されたＵＥは、表３に与えられたＤＣＩフィールド解釈を表１５のように解釈してＤＭＲＳを受信する。
【０１７１】
【表１５】
0006469208.tif 000018
【０１７２】
ポートスワッピングと同様に、ポート取り替え（ｐｏｒｔ  ｒｅｐｌａｃｅｍｅｎｔ）はＵＥ特定に適用され、取り替えパターン（ｒｅｐｌａｃｅｍｅｎｔ  ｐａｔｔｅｒｎ）もＵＥごとに異なるように設定されてもよい。すなわち、ポート（７，８）を（１１，１３）、（９，１０）、又は（１２，１４）に取り替えることができ、各ＵＥに別個の取り替えパターンを設定することができる。様々な取り替えパターンをＵＥに適用する場合、８個のポートを用いて、８名のランク１  ＵＥを直交ＤＭＲＳベースＭＵ−ＭＩＭＯすることができる。
【０１７３】
ポート取り替えのためのシグナリングは、本発明の第１−４実施例で説明した方法を同一に適用し、制御信号に対する解釈をスワッピング（ｓｗａｐｐｉｎｇ）ではなく取り替え（ｒｅｐｌａｃｅｍｅｎｔ）とすることができる。例えば、表３を拡張して表１５の取り替えをカバー（ｃｏｖｅｒ）する場合、表３に表１５の和集合を用いて新しい表を生成して用いることができる。
【０１７４】
（第３の実施例（低いランクの場合における使用可能ポート（ａｖａｉｌａｂｌｅ  ｐｏｒｔ）の追加））
本発明の第３の実施例によれば、直交ＭＵ−ＭＩＭＯの数を増加させるための簡単な（ｓｉｍｐｌｅ）方法として、表３のポート及びレイヤフィールドで使用可能なポートを増加させることができる。例えば、表３のランク１、２で使用可能なポートは、７、８に限定されるが、表１６又は表１７のように、残りのポートも使用可能なようにフィールドを拡張する。表３においてよりコンパクトなフィールド設計のために追加されたポート＋ｎＳＣＩＤ組み合わせのうちの一部を除去し、残りの一部だけを用いることができる。例えば、追加されたポートは、ｎＳＣＩＤ  １、０のうち１だけを用いるように制限することでコンパクトなフィールド設計が可能である。表１７では、ポート７、８で用いるＯＣＣの長さを、基地局がＵＥに知らせることができる。１コードワードに対する値（ｖａｌｕｅ）０、１、２、３の場合、既存の方式と同一に、ポート７、８のＯＣＣ長は２と解釈し、１コードワードに対する値８、９、１０、１１の場合、ポート７、８のＯＣＣ長は４と解釈する。同様に、ポート７、８を用いた再送信時にもＯＣＣ長を４と解釈できるように、１コードワードに対する値１６も追加した。値０〜７のポートに対するＯＣＣ長は、既存のＬＴＥシステムと同一に解釈し、新しく追加された値のポート１１、１７は、ＯＣＣ長を４と仮定する。
【０１７５】
【表１６−１】
0006469208.tif 000019
【０１７６】
【表１６−２】
0006469208.tif 000020
【０１７７】
【表１７−１】
0006469208.tif 000021
【０１７８】
【表１７−２】
0006469208.tif 000022
【０１７９】
（第４実施例（ＯＣＣ長の指示（ＯＣＣ  ｌｅｎｇｔｈ  ｉｎｄｉｃａｔｉｏｎ）））
従来のＬＴＥシステムにおいてＵＥ観点でランクが４以下である場合、ＯＣＣ（ｏｒｔｈｏｇｏｎａｌ  ｃｏｖｅｒ  ｃｏｄｅ）の長さが２に設定される。長さが２である場合、時間軸（ＯＦＤＭシンボルレベル）でチャネルフェージングが強い環境でも十分のＤＭＲＳチャネル推定性能を得ることができる。しかし、それ以上の高いランクでは３個以上のポートが同一ＲＥにＣＤＭされるため、ＯＣＣ長は４と増加するようになる。
【０１８０】
上記の第１及び第２の実施例で説明した方法が正しく動作するためには、既存と違い、低いランクでもＯＣＣ長が４に変更されなければならない。ＯＣＣ長は様々な方式で示すことができるが、最も簡単には、ＴＭ（ｔｒａｎｓｍｉｓｓｉｏｎ  ｍｏｄｅ）に従ってＯＣＣ長を別々に運用すればよい。例えば、ＬＴＥシステムにおいて特定ＴＭである場合（例えば、３Ｄ  ＭＩＭＯのためのＴＭ１１）、ＯＣＣ長を４として運用し、残りのＴＭでは既存と同一にＯＣＣ長を運用することができる。又は、特定のＤＣＩフォーマット（例えば、３Ｄ  ＭＩＭＯのためのＤＣＩフォーマット）に限ってＯＣＣ長を４として運用することができる。
【０１８１】
又は、ＯＣＣ長を示すためにＤＣＩに新しいフィールドを作ったり、ポート及びレイヤフィールドにＯＣＣ長も併せてジョイントコード（ｊｏｉｎｔ  ｅｎｃｏｄｉｎｇ）してシグナリングすることができる。又は、上記の第１−４実施例で説明したシグナリング方式をＯＣＣ長の指示のために適用してもよい。すなわち、ＰＱＩ状態にＯＣＣ長をマップしたり、又はｎＳＣＩＤ、ｅＰＤＣＣＨなどに結び付けて（ｔｉｅ）運用することができる。
【０１８２】
（第５実施例（ウォルシュ符号変更方式））
以上の実施例では、ＤＭＲＳポートスワッピング、ポート取り替え、及びポート追加についていずれもポート観点で接近した。本発明の第５実施例では、ポートインデックスは既存と同一に維持するが、各ポートがＣＤＭされるウォルシュ符号をスワッピング（ｓｗａｐｐｉｎｇ）、取り替え（ｒｅｐｌａｃｅｍｅｎｔ）、追加（ａｄｄｉｔｉｏｎ）する方法を説明する。
【０１８３】
すなわち、ウォルシュ符号スワッピングは、ポート  ｉのウォルシュ符号とポート  ｊのウォルシュ符号とをスワップする概念である。すなわち、符号スワッピングがオンされた場合、基地局とＵＥは、表３によってポートを解釈するが、与えられた符号スワッピングパターンに合わせて、ポート  ｉのウォルシュ符号とポート  ｊのウォルシュ符号を互いに換えて適用する。ウォルシュ符号取り替えは、低いランクでポート  ｉのウォルシュ符号をポート  ｊのウォルシュ符号に置き換えて用いることを意味する。
【０１８４】
ウォルシュ符号取り替え（Ｗａｌｓｈ  ｃｏｄｅ  ｒｅｐｌａｃｅｍｅｎｔ）は、図１４のように特定のランクでポート自体を取り替えるのではなく、ポートの既存のウォルシュ符号を他のポートのウォルシュ符号又は第３のウォルシュ符号に置き換えることを意味する。この場合、ＵＥは、表１５のようにポートが代替された解釈をするのではなく、既存の表３を用いてポートを解釈するが、ポートにウォルシュ符号だけを取り替えて使用する。
【０１８５】
ウォルシュ符号追加は、ポート  ｉに対して１つのウォルシュ符号が固定されたものではなく、複数の中から選択でき、それを基地局とＵＥとの間のシグナリングで約束することができる。既存にポートとウォルシュ符号が固定マップ（ｆｉｘｅｄ  ｍａｐｐｉｎｇ）されているため、表３でウォルシュ符号は選択されないが、ウォルシュ符号追加方式では、既存の固定されたウォルシュ符号だけでなく、他のウォルシュ符号も選択できるようにしなければならない。
【０１８６】
ウォルシュ符号をスワッピング、取り替え、追加する方式のためのシグナリングは、上記ＤＭＲＳポートスワッピング、ポート取り替え及びポート追加のためのシグナリングを容易に（ｓｔｒａｉｇｈｔ  ｆｏｒｗａｒｄ）拡張して用いることができる。
【０１８７】
図１５は、本発明の実施例の一例を示すフローチャートである。
【０１８８】
まず、ＵＥは、データ復調のための参照信号（ＤＭＲＳ）のポート及びレイヤに関するマッピング情報を受信する（Ｓ１５１）。次に、上記ＤＭＲＳの上記ポートが変更されたか否かに関する変更情報を受信する（Ｓ１５３）。その後、上記指示子に基づいて上記ポート情報の変更を判断し、上記ＤＭＲＳのチャネルを推定する（Ｓ１５５）。ここで、ＤＭＲＳポートが変更された場合の具体的な説明は上述した第１乃至第５実施例と同一であり、その詳細な説明は省略する。
【０１８９】
図１６は、本発明の一実施例に適用可能な基地局及び端末を例示する。
【０１９０】
無線通信システムにリレーが含まれる場合、バックホールリンクでは通信が基地局とリレー間に行われ、アクセスリンクでは通信がリレーと端末間に行われる。したがって、図面に例示された基地局又は端末は、状況によってリレーに置き換えてもよい。
【０１９１】
図１６を参照すると、無線通信システムは、基地局１６１０及び端末１６２０を含む。基地局１６１０は、プロセッサ１６１３、メモリ１６１４及び無線周波（Ｒａｄｉｏ  Ｆｒｅｑｕｅｎｃｙ；ＲＦ）ユニット１６１１，１６１２を備える。プロセッサ１６１３は、本発明で提案した手順及び／又は方法を具現するように構成されてもよい。メモリ１６１４は、プロセッサ１６１３と接続され、プロセッサ１６１３の動作と関連した様々な情報を記憶する。ＲＦユニット１６１６は、プロセッサ１６１３と接続され、無線信号を送信及び／又は受信する。端末１６２０は、プロセッサ１６２３、メモリ１６２４及びＲＦユニット１６２１，１６２２を備える。プロセッサ１６２３は、本発明で提案した手順及び／又は方法を具現するように構成されてもよい。メモリ１６２４は、プロセッサ１６２３と接続され、プロセッサ１６２３の動作と関連した様々な情報を記憶する。ＲＦユニット１６２１，１６２２は、プロセッサ１６２３と接続され、無線信号を送信及び／又は受信する。基地局１６１０及び／又は端末１６２０は、単一アンテナ又は多重アンテナを有することができる。
【０１９２】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成又は特徴は、他の実施例に含まれてもよく、他の実施例の対応する構成又は特徴に置き換えてもよい。特許請求の範囲で明示的な引用関係にない請求項を結合して実施例を構成したり、出願後の補正によって新しい請求項として含めたりできることは明らかである。
【０１９３】
本文書で基地局によって行われるとした特定動作は、場合によっては、その上位ノード（ｕｐｐｅｒ  ｎｏｄｅ）によって行われてもよい。すなわち、基地局を含む複数のネットワークノード（ｎｅｔｗｏｒｋ  ｎｏｄｅｓ）から構成されるネットワークで端末との通信のために行われる様々な動作は、基地局又は基地局以外の他のネットワークノードによって行われることが明らかである。基地局は、固定局（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に言い換えてもよい。
【０１９４】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０１９５】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。
【０１９６】
メモリユニットは、プロセッサの内部又は外部に設けられ、既に公知の様々な手段によってプロセッサとデータを交換することができる。
【０１９７】
以上、開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を組み合わせる方式で用いてもよい。したがって、本発明は、ここに開示した実施の形態に制限されるものではなく、ここに開示した原理及び新規な特徴と一致する最も広い範囲を与えようとするものである。
【０１９８】
本発明は、本発明の精神及び必須特徴から逸脱しない範囲で他の特定の形態として具体化することもできる。このため、上記の詳細な説明はいずれの面においても制約的に解釈してはならず、例示的なものとして考慮しなければならない。本発明の範囲は、添付した請求項の合理的解釈によって定めなければならず、本発明の同等範囲内における変更はいずれも本発明の範囲に含まれる。本発明は、ここに開示した実施の形態に制限されるものではなく、ここに開示した原理及び新規な特徴と一致する最も広い範囲を有するものである。また、特許請求の範囲で明示的な引用関係を有しない請求項を結合して実施例を構成してもよく、出願後の補正によって新しい請求項として含めてもよい。
【産業上の利用可能性】
【０１９９】
本発明は、端末、リレー、基地局などのような無線通信装置に利用可能である。
【図１】
0006469208.tif 000023
【図２】
0006469208.tif 000024
【図３】
0006469208.tif 000025
【図４】
0006469208.tif 000026
【図５（ａ）】
0006469208.tif 000027
【図５（ｂ）】
0006469208.tif 000028
【図６】
0006469208.tif 000029
【図７】
0006469208.tif 000030
【図８】
0006469208.tif 000031
【図９】
0006469208.tif 000032
【図１０】
0006469208.tif 000033
【図１１】
0006469208.tif 000034
【図１２】
0006469208.tif 000035
【図１３】
0006469208.tif 000036
【図１４】
0006469208.tif 000037
【図１５】
0006469208.tif 000038
【図１６】
0006469208.tif 000039